(57)【要約】      （修正有）【課題】携帯電話を利用し、募集から採用に至るまでの時間、労力、費用の軽減を図ることが可能な人材募集・応募支援システムを提供する。【解決手段】求人主体側の管理システム２と、応募者側の動画機能及びＴＶ電話機能付携帯電話２０Ａ又はコンピュータ端末２０Ｃと、これらを接続する公衆網３１及びインターネット網３２からなる通信網３０とを含む動画機能及びＴＶ電話機能付携帯電話を利用した人材募集・応募支援システムであって、管理システム２は、求人情報及び応募案内情報の提供、応募者からの応募情報の受信を行うＷＥＢサーバ４４と、メールの送受信を行うメールサーバ４５と、オンライン面接、採用可否の評価を行う担当者端末４６と、情報蓄積処理手段４７とを有する。【選択図】図１
0003123083.tif 000002
【実用新案登録請求の範囲】
【請求項１】
求人主体側の管理システムと、応募者側の動画機能及びＴＶ電話機能付携帯電話又は応募者コンピュータ端末と、これらを接続する通信網とを含む動画機能及びＴＶ電話機能付携帯電話を利用した人材募集・応募支援システムであって、
求人主体側の管理システムは、通信網を介して、求人情報及び応募案内情報の提供、応募案内情報に基づいた応募者からの氏名等の文字情報を含む応募情報の受信、応募情報に応じたＴＶ電話を使用するための面接案内の送信、応募者からの動画機能及びＴＶ電話機能付携帯電話によるＴＶ電話モードでの接続に応じたＴＶ電話による応募者との動画によるオンライン面接、当該応募者への採用可否情報の送信を行うとともに、前記応募情報及びオンライン面接情報に応じた当該応募者の採用可否の評価、応募者の応募情報及び動画による面接情報の蓄積を行い、
応募者側の動画機能及びＴＶ電話機能付携帯電話又は応募者コンピュータ端末は、通信網を介して、求人主体側の管理システムが提供する求人情報の検索、応募案内情報に基づく氏名等の文字情報を含む応募情報による応募、ＴＶ電話を使用するための面接案内に応じた動画機能及びＴＶ電話機能付携帯電話によるＴＶ電話モードでの求人主体側の管理システムへのアクセスをはじめ、動画機能に基づくＴＶ電話による動画による採用担当者とのオンライン面接、求人主体側の管理システムからの採用可否情報の受信を行うこと、
を特徴とする動画機能及びＴＶ電話機能付携帯電話を利用した人材募集・応募支援システム。
【請求項２】
求人主体側の管理システムと、応募者側の動画機能及びＴＶ電話機能付携帯電話又は応募者コンピュータ端末と、これらを接続する通信網とを含む動画機能及びＴＶ電話機能付携帯電話を利用した人材募集・応募支援システムであって、
求人主体側の管理システムは、
通信網を介して、求人情報及び応募案内情報のＷｅｂ情報による提供、応募者からの氏名等の文字情報を含む応募情報のＷｅｂ情報による受信を行うＷＥＢサーバと、
ＴＶ電話使用のためのアクセス電話番号を含む面接案内、当該応募者の採用可否情報のメール送信を行うメールサーバと、
アクセス電話番号に基づく応募者からの動画機能及びＴＶ電話機能付携帯電話によるＴＶ電話モードでのアクセスに応じてＴＶ電話による応募者との動画によるオンライン面接を行うとともに、当該応募者の採用可否の評価を行うＴＶ電話サーバとしての担当者端末と、
応募者の応募情報及び動画による面接情報を読み出し可能に蓄積する情報蓄積処理手段と、
を有し、
応募者側の動画機能及びＴＶ電話機能付携帯電話又は応募者コンピュータ端末は、通信網を介して、求人主体側の管理システムにおけるＷＥＢサーバが提供する求人情報の検索、応募案内情報に基づく氏名等の文字情報を含む応募情報による応募、ＴＶ電話を使用するためのメールでの面接案内に応じたアクセス電話番号に基づく動画機能及びＴＶ電話機能付携帯電話によるＴＶ電話モードでの求人主体側の担当者端末へのアクセス、動画機能に基づくＴＶ電話による採用担当者との動画によるオンライン面接、求人主体側の管理システムからの採用可否情報のメールでの受信を行うこと、
を特徴とする動画機能及びＴＶ電話機能付携帯電話を利用した人材募集・応募支援システム。
【請求項３】
求人主体側の管理システムと、応募者側の動画機能及びＴＶ電話機能付第３世代携帯電話又は応募者コンピュータ端末と、これらを接続するＩＮＳ（登録商標）回線又はインターネット網からなる通信網とを含む動画機能及びＴＶ電話機能付携帯電話を利用した人材募集・応募支援システムであって、
求人主体側の管理システムは、
前記通信網を介して、求人情報及び応募案内情報のＷｅｂ情報による提供、応募者からの氏名等の文字情報を含む応募情報のＷｅｂ情報による受信を行うＷＥＢサーバと、
ＴＶ電話使用のためのアクセス電話番号を含む面接案内、当該応募者の採用可否情報の送信を行うメールサーバと、
アクセス電話番号に基づく応募者からの動画機能及びＴＶ電話機能付第３世代携帯電話によるＴＶ電話モードでのアクセスに応じてＴＶ電話による応募者との動画によるオンライン面接を行うとともに当該応募者の採用可否の評価を行うＴＶ電話サーバとしての担当者端末と、
応募者の応募情報及び動画による面接情報を読み出し可能に蓄積する管理用サーバ、データベースを含む情報蓄積処理手段と、
を有し、
応募者側の動画機能及びＴＶ電話機能付第３世代携帯電話又は応募者コンピュータ端末は、前記通信網を介して、求人主体側の管理システムにおけるＷＥＢサーバが提供する求人情報の検索、応募案内情報に基づく氏名等の文字情報を含む応募情報による応募、ＴＶ電話を使用するための面接案内に応じたアクセス電話番号に基づく動画機能及びＴＶ電話機能付第３世代携帯電話によるＴＶ電話モードでの求人主体側の担当者端末へのアクセスをはじめ動画機能に基づくＴＶ電話による採用担当者との動画によるオンライン面接、求人主体側の管理システムからの採用可否情報の受信を行うこと、
を特徴とする動画機能及びＴＶ電話機能付携帯電話を利用した人材募集・応募支援システム。
【請求項４】
求人主体側の管理システムと、応募者側のＩＰ対応動画機能及びＴＶ電話機能付携帯電話又は応募者コンピュータ端末と、これらを接続するインターネット網からなる通信網とを含む動画機能及びＴＶ電話機能付携帯電話を利用した人材募集・応募支援システムであって、
求人主体側の管理システムは、
前記通信網を介して、求人情報及び応募案内情報のＷｅｂ情報による提供、応募者からの氏名等の文字情報を含む応募情報のＷｅｂ情報による受信を行うＷＥＢサーバと、
ＴＶ電話使用のためのアクセス電話番号を含む面接案内、当該応募者の採用可否情報の送信を行うメールサーバと、
アクセス電話番号に基づく応募者からのＩＰ対応動画機能及びＴＶ電話機能付携帯電話によるＴＶ電話モードでのアクセスに応じてＴＶ電話による応募者との動画によるオンライン面接を行うとともに当該応募者の採用可否の評価を行うＴＶ電話サーバとしての担当者端末と、
応募者の応募情報及び動画又は静止画による面接情報を読み出し可能に蓄積する管理用サーバ、データベースを含む情報蓄積処理手段と、
を有し、
応募者側のＩＰ対応動画機能及びＴＶ電話機能付携帯電話又は応募者コンピュータ端末は、前記通信網を介して、求人主体側の管理システムにおけるＷＥＢサーバが提供する求人情報の検索、応募案内情報に基づく氏名等の文字情報を含む応募情報による応募、ＴＶ電話を使用するための面接案内に応じたアクセス電話番号に基づくＩＰ対応動画機能及びＴＶ電話機能付携帯電話によるＴＶ電話モードでの求人主体側の担当者端末へのアクセスをはじめ動画機能に基づくＴＶ電話による採用担当者との動画によるオンライン面接、求人主体側の管理システムからの採用可否情報の受信を行うこと、
を特徴とする動画機能及びＴＶ電話機能付携帯電話を利用した人材募集・応募支援システム。
【請求項５】
求人主体側の管理システムと、応募者側の動画機能及びＴＶ電話機能付携帯電話又は応募者コンピュータ端末と、これらを接続する通信網とを含む動画機能及びＴＶ電話機能付携帯電話を利用した人材募集・応募支援システムであって、
求人主体側の管理システムは、通信網を介して、求人情報及び応募案内情報の提供、応募案内情報に基づいた応募者からの氏名等の文字情報を含む応募情報の受信、応募情報に応じたＴＶ電話を使用するためのＴＶ電話案内の送信、ＴＶ電話モード時での応募者の自己宣伝情報等の作成のためのビデオメッセージの送信、応募者からの動画機能及びＴＶ電話機能付携帯電話によるＴＶ電話モードでの前記ビデオメッセージに従った動画による顔、或いは自己宣伝情報又は静止画による顔、或いは自己宣伝情報の受信、当該応募者への採用可否情報の送信を行うとともに、前記応募情報及び動画又は静止画による顔、或いは自己宣伝情報に応じた当該応募者の採用可否の評価、応募者の応募情報及び動画又は静止画による顔、或いは自己宣伝情報の蓄積を行い、
応募者側の動画機能及びＴＶ電話付携帯電話又は応募者コンピュータ端末は、通信網を介して、求人主体側の管理システムが提供する求人情報の検索、応募案内情報に基づく氏名等の文字情報を含む応募情報による応募、ＴＶ電話を使用するためのＴＶ電話案内に応じた動画機能及びＴＶ電話機能付携帯電話によるＴＶ電話モードでの求人主体側の管理システムへのアクセス、前記ビデオメッセージに応じた自己の顔、或いは自己宣伝情報の動画又は静止画による送信、採用可否情報の受信を行うこと、
を特徴とする動画機能及びＴＶ電話機能付携帯電話を利用した人材募集・応募支援システム。
【請求項６】
求人主体側の管理システムと、応募者側の動画機能及びＴＶ電話機能付携帯電話又は応募者コンピュータ端末と、これらを接続する通信網とを含む動画機能及びＴＶ電話機能付携帯電話を利用した人材募集・応募支援システムであって、
求人主体側の管理システムは、
通信網を介して、求人情報及び応募案内情報のＷｅｂ情報による提供、応募者からの氏名等の文字情報を含む応募情報のＷｅｂ情報による受信を行うＷＥＢサーバと、
ＴＶ電話使用のためのアクセス電話番号を含むＴＶ電話案内、当該応募者の採用可否情報のメール送信を行うメールサーバと、
ＴＶ電話モード時での応募者の自己宣伝情報等々の作成のためのビデオメッセージの送信、応募者からの動画機能及びＴＶ電話機能付携帯電話によるＴＶ電話モードでの前記ビデオメッセージに従った動画による顔、或いは自己宣伝情報又は静止画による顔、或いは自己宣伝情報の受信を行うとともに当該応募者の採用可否の評価を行うＴＶ電話サーバとしての担当者端末と、
応募者の応募情報及び動画又は静止画による顔、或いは自己宣伝情報を読み出し可能に蓄積する情報蓄積処理手段と、
を有し、
応募者側の動画機能及びＴＶ電話付携帯電話又は応募者コンピュータ端末は、通信網を介して、求人主体側の管理システムが提供する求人情報の検索、応募案内情報に基づく氏名等の文字情報を含む応募情報による応募、ＴＶ電話を使用するためのＴＶ電話案内に応じた動画機能及びＴＶ電話機能付携帯電話によるＴＶ電話モードでの求人主体側の管理システムへのアクセス、前記ビデオメッセージに応じた自己の顔、或いは自己宣伝情報の動画又は静止画による送信、採用可否情報の受信を行うこと、
を特徴とする動画機能及びＴＶ電話機能付携帯電話を利用した人材募集・応募支援システム。
【請求項７】
求人主体側の管理システムと、応募者側の動画機能及びＴＶ電話機能付第３世代携帯電話又は応募者コンピュータ端末と、これらを接続するＩＮＳ（登録商標）回線又はインターネット網からなる通信網とを含む動画機能及びＴＶ電話機能付携帯電話を利用した人材募集・応募支援システムであって、
求人主体側の管理システムは、
前記通信網を介して、求人情報及び応募案内情報のＷｅｂ情報による提供、応募者からの氏名等の文字情報を含む応募情報のＷｅｂ情報による受信を行うＷＥＢサーバと、
ＴＶ電話使用のためのアクセス電話番号を含むＴＶ電話案内、当該応募者の採用可否情報のメール送信を行うメールサーバと、
ＴＶ電話モード時での応募者の自己宣伝情報等々の作成のためのビデオメッセージの送信、応募者からの動画機能及びＴＶ電話機能付第３世代携帯電話によるＴＶ電話モードでの前記ビデオメッセージに従った動画による顔、或いは自己宣伝情報又は静止画による顔、或いは自己宣伝情報の受信を行うとともに当該応募者の採用可否の評価を行うＴＶ電話サーバとしての担当者端末と、
応募者の応募情報及び動画又は静止画による顔、或いは自己宣伝情報を読み出し可能に蓄積する管理用サーバ、データベースを含む情報蓄積処理手段と、
を有し、
応募者側の動画機能及びＴＶ電話機能付第３世代携帯電話又は応募者コンピュータ端末は、前記通信網を介して、求人主体側の管理システムが提供する求人情報の検索、応募案内情報に基づく氏名等の文字情報を含む応募情報による応募、ＴＶ電話を使用するためのＴＶ電話案内に応じた動画機能及びＴＶ電話機能付第３世代携帯電話によるＴＶ電話モードでの求人主体側の管理システムへのアクセスをはじめ、前記ビデオメッセージに応じた自己の顔、或いは自己宣伝情報の動画又は静止画による送信、採用可否情報の受信を行うこと、
を特徴とする動画機能及びＴＶ電話機能付携帯電話を利用した人材募集・応募支援システム。
【請求項８】
求人主体側の管理システムと、応募者側のＩＰ対応動画機能及びＴＶ電話機能付携帯電話又は応募者コンピュータ端末と、これらを接続するインターネット網からなる通信網とを含む動画機能及びＴＶ電話機能付携帯電話を利用した人材募集・応募支援システムであって、
求人主体側の管理システムは、
前記通信網を介して、求人情報及び応募案内情報のＷｅｂ情報による提供、応募者からの氏名等の文字情報を含む応募情報のＷｅｂ情報による受信を行うＷＥＢサーバと、
ＴＶ電話使用のためのアクセス電話番号を含むＴＶ電話案内、当該応募者の採用可否情報のメール送信を行うメールサーバと、
ＴＶ電話モード時での応募者の自己宣伝情報等々の作成のためのビデオメッセージの送信、応募者からのＩＰ対応動画機能及びＴＶ電話機能付携帯電話によるＴＶ電話モードでの前記ビデオメッセージに従った動画による顔、或いは自己宣伝情報又は静止画による顔、或いは自己宣伝情報の受信を行うとともに当該応募者の採用可否の評価を行うＴＶ電話サーバとしての担当者端末と、
応募者の応募情報及び動画又は静止画による顔、或いは自己宣伝情報を読み出し可能に蓄積する管理用サーバ、データベースを含む情報蓄積処理手段と、
を有し、
前記応募者側の動画機能及びＩＰ対応ＴＶ電話付携帯電話又は応募者コンピュータ端末は、前記通信網を介して、求人主体側の管理システムが提供する求人情報の検索、応募案内情報に基づく氏名等の文字情報を含む応募情報による応募、ＴＶ電話を使用するためのＴＶ電話案内に応じたＩＰ対応動画機能及びＴＶ電話機能付携帯電話によるＴＶ電話モードでの求人主体側の管理システムへのアクセスをはじめ、前記ビデオメッセージに応じた自己の顔、或いは自己宣伝情報の動画又は静止画による送信、採用可否情報の受信を行うこと、
を特徴とする動画機能及びＴＶ電話機能付携帯電話を利用した人材募集・応募支援システム。
【請求項９】
データ管理センタの管理システムと、求人主体側の担当者端末と、応募者側の動画機能及びＴＶ電話機能付携帯電話又は応募者コンピュータ端末と、これらを接続する通信網とを含む動画機能及びＴＶ電話機能付携帯電話を利用した人材募集・応募支援システムであって、
データ管理センタの管理システムは、通信網を介して、求人主体に関する求人情報及び応募案内情報の提供、応募案内情報に基づいた応募者からの氏名等の文字情報を含む応募情報の受信、応募情報に応じたＴＶ電話を使用するための面接案内の送信、求人主体側の担当者端末と前記応募情報及び応募者側の動画機能及びＴＶ電話機能付携帯電話との間で行われる動画又は静止画による面接情報、担当者端末による当該応募者の採用可否の評価情報の蓄積、採用可否情報の応募者側の動画機能及びＴＶ電話機能付携帯電話又は応募者コンピュータ端末への送信を行い、
担当者端末は、通信網を介して、応募者からの前記面接案内に基づく動画機能及びＴＶ電話機能付携帯電話によるＴＶ電話モードでの接続に応じたＴＶ電話による応募者とのオンライン面接、当該応募者の採用可否の評価、その評価情報のデータ管理センタの管理システムへの送信、前記データ管理センタの管理システムの蓄積情報の閲覧を行い、
応募者側の動画機能及びＴＶ電話機能付携帯電話又は応募者コンピュータ端末は、通信網を介して、データ管理センタの管理システムが提供する求人情報の検索、応募案内情報に基づく氏名等の文字情報を含む応募情報による応募、ＴＶ電話を使用するための面接案内に応じた動画機能及びＴＶ電話機能付携帯電話によるＴＶ電話モードでの前記担当者端末へのアクセスをはじめ、動画機能に基づくＴＶ電話による動画による採用担当者とのオンライン面接、データ管理センタの管理システムからの採用可否情報の受信を行うこと、
を特徴とする動画機能及びＴＶ電話機能付携帯電話を利用した人材募集・応募支援システム。
【請求項１０】
データ管理センタの管理システムと、求人主体側の担当者端末と、応募者側の動画機能及びＴＶ電話機能付携帯電話又は応募者コンピュータ端末と、これらを接続する通信網とを含む動画機能及びＴＶ電話機能付携帯電話を利用した人材募集・応募支援システムであって、
データ管理センタの管理システムは、
通信網を介して、求人主体に関する求人情報及び応募案内情報の提供、応募案内情報に基づいた応募者からの氏名等の文字情報を含む応募情報の受信を行うＷＥＢサーバと、
応募情報に応じたＴＶ電話を使用するための面接案内の送信、採用可否情報の応募者側の動画機能及びＴＶ電話機能付携帯電話又は応募者コンピュータ端末への送信を行うメールサーバと、
求人主体側の担当者端末と前記応募情報及び応募者側の動画機能及びＴＶ電話機能付携帯電話との間で行われる動画又は静止画による面接情報、担当者端末による当該応募者の採用可否の評価情報の蓄積を行う管理用サーバ、データベースを含む情報蓄積処理手段と、
を有し、
担当者端末は、通信網を介して、応募者からの前記面接案内に基づく動画機能及びＴＶ電話機能付携帯電話によるＴＶ電話モードでの接続に応じたＴＶ電話による応募者とのオンライン面接、当該応募者の採用可否の評価、その評価情報のデータ管理センタの管理システムへの送信、前記データ管理センタの管理システムの蓄積情報の閲覧を行うＴＶ電話機能付コンピュータ端末であり、
応募者側の動画機能及びＴＶ電話機能付携帯電話又は応募者コンピュータ端末は、通信網を介して、データ管理センタの管理システムが提供する求人情報の検索、応募案内情報に基づく氏名等の文字情報を含む応募情報による応募、ＴＶ電話を使用するための面接案内に応じた動画機能及びＴＶ電話機能付携帯電話によるＴＶ電話モードでの前記担当者端末へのアクセスをはじめ、動画機能に基づくＴＶ電話による動画による採用担当者とのオンライン面接、データ管理センタの管理システムからの採用可否情報の受信を行うこと、
を特徴とする動画機能及びＴＶ電話機能付携帯電話を利用した人材募集・応募支援システム。
【請求項１１】
前記通信網は、ＩＮＳ（登録商標）回線又はインターネット網からなり、前記応募者側の動画機能及びＴＶ電話機能付携帯電話又は応募者コンピュータ端末は、ＩＮＳ（登録商標）回線又はインターネット網を介してデータ管理センタの管理システム、担当者端末と接続される動画機能及びＴＶ電話機能付第３世代携帯電話又はＩＰ対応動画機能及びＴＶ電話機能付携帯電話である請求項１０記載の動画機能及びＴＶ電話機能付携帯電話を利用した人材募集・応募支援システム。
【請求項１２】
データ管理センタの管理システムと、求人主体側の担当者端末と、応募者側の動画機能及びＴＶ電話機能付携帯電話又は応募者コンピュータ端末と、これらを接続する通信網とを含む動画機能及びＴＶ電話機能付携帯電話を利用した人材募集・応募支援システムであって、
データ管理センタの管理システムは、通信網を介して、求人主体に関する求人情報及び応募案内情報の提供、応募案内情報に基づいた応募者からの氏名等の文字情報を含む応募情報の受信、応募情報に応じたＴＶ電話を使用するためのＴＶ電話案内の送信、ＴＶ電話モード時での応募者の自己宣伝情報等の作成のためのビデオメッセージの送信、応募者からの動画機能及びＴＶ電話機能付携帯電話によるＴＶ電話モードでの前記ビデオメッセージに従った動画による顔、或いは自己宣伝情報又は静止画による顔、或いは自己宣伝情報の受信及び蓄積、担当者端末による当該応募者の採用可否の評価情報の蓄積、採用可否情報の応募者側の動画機能及びＴＶ電話機能付携帯電話又は応募者コンピュータ端末への送信を行い、
担当者端末は、通信網を介して、応募者からの前記ＴＶ電話案内に基づく動画機能及びＴＶ電話機能付携帯電話によるＴＶ電話モードでの接続に応じたＴＶ電話による前記ビデオメッセージに従った動画による顔、或いは自己宣伝情報又は静止画による顔、或いは自己宣伝情報の閲覧、当該応募者の採用可否の評価、その評価情報のデータ管理センタの管理システムへの送信を行い、
応募者側の動画機能及びＴＶ電話機能付携帯電話又は応募者コンピュータ端末は、通信網を介して、データ管理センタの管理システムが提供する求人情報の検索、応募案内情報に基づく氏名等の文字情報を含む応募情報による応募、ＴＶ電話を使用するためのＴＶ電話案内に応じた動画機能及びＴＶ電話機能付携帯電話によるＴＶ電話モードでの前記ビデオメッセージに従った動画による顔、或いは自己宣伝情報又は静止画による顔、或いは自己宣伝情報のデータ管理センタの管理システムへの送信、データ管理センタの管理システムからの採用可否情報の受信を行うこと、
を特徴とする動画機能及びＴＶ電話機能付携帯電話を利用した人材募集・応募支援システム。
【請求項１３】
データ管理センタの管理システムと、求人主体側の担当者端末と、応募者側の動画機能及びＴＶ電話機能付携帯電話又は応募者コンピュータ端末と、これらを接続する通信網とを含む動画機能及びＴＶ電話機能付携帯電話を利用した人材募集・応募支援システムであって、
データ管理センタの管理システムは、
通信網を介して、求人主体に関する求人情報及び応募案内情報の提供、応募案内情報に基づいた応募者からの氏名等の文字情報を含む応募情報の受信を行うＷＥＢサーバと、
応募情報に応じたＴＶ電話を使用するためのＴＶ電話案内の送信、ＴＶ電話モード時での応募者の自己宣伝情報等の作成のためのビデオメッセージの送信、採用可否情報の応募者側の動画機能及びＴＶ電話機能付携帯電話又は応募者コンピュータ端末への送信を行うメールサーバと、
応募者からの動画機能及びＴＶ電話機能付携帯電話によるＴＶ電話モードでの前記ビデオメッセージに従った動画による顔、或いは自己宣伝情報又は静止画による顔、或いは自己宣伝情報の受信及び蓄積、担当者端末による当該応募者の採用可否の評価情報の蓄積を行う管理用サーバ、データベースを含む情報蓄積処理手段と、
を有し、
担当者端末は、通信網を介して、応募者からの前記ＴＶ電話案内に基づく動画機能及びＴＶ電話機能付携帯電話によるＴＶ電話モードでの接続に応じたＴＶ電話による前記ビデオメッセージに従った動画による顔、或いは自己宣伝情報又は静止画による顔、或いは自己宣伝情報の閲覧、当該応募者の採用可否の評価、その評価情報のデータ管理センタの管理システムへの送信を行うＴＶ電話機能付コンピュータ端末であり、
応募者側の動画機能及びＴＶ電話機能付携帯電話又は応募者コンピュータ端末は、通信網を介して、データ管理センタの管理システムが提供する求人情報の検索、応募案内情報に基づく氏名等の文字情報を含む応募情報による応募、ＴＶ電話を使用するためのＴＶ電話案内に応じた動画機能及びＴＶ電話機能付携帯電話によるＴＶ電話モードでの前記ビデオメッセージに従った動画による顔、或いは自己宣伝情報又は静止画による顔、或いは自己宣伝情報のデータ管理センタの管理システムへの送信、データ管理センタの管理システムからの採用可否情報の受信を行うこと、
を特徴とする動画機能及びＴＶ電話機能付携帯電話を利用した人材募集・応募支援システム。
【請求項１４】
前記通信網は、ＩＮＳ（登録商標）回線又はインターネット網からなり、前記応募者側の動画機能及びＴＶ電話機能付携帯電話又は応募者コンピュータ端末は、ＩＮＳ（登録商標）回線又はインターネット網を介してデータ管理センタの管理システム、担当者端末と接続される動画機能及びＴＶ電話機能付第３世代携帯電話又はＩＰ対応動画機能及びＴＶ電話機能付携帯電話である請求項１３記載の動画機能及びＴＶ電話機能付携帯電話を利用した人材募集・応募支援システム。
【請求項１５】
前記オンライン面接等の面接情報の蓄積は、複数人で閲覧可能であることを特徴とする請求項１乃至１４のいずれか１項に記載の携帯電話を利用した人材募集・応募支援システム。
【請求項１６】
前記応募者側の携帯電話が動画及びＴＶ電話機能を有していない場合において、前記求人情報及び応募案内情報の提供、応募案内情報に基づいた応募者からの氏名等の文字情報を含む応募情報の受信、応募情報に応じたＴＶ電話を使用するための面接案内の送信等は、静止画により行うものである特徴とする請求項１乃至１５のいずれか１項に記載の携帯電話を利用した人材募集・応募支援システム。
【請求項１７】
求人主体側の管理システムと、応募者側の動画機能及びＴＶ電話機能付第３世代携帯電話又は応募者コンピュータ端末と、これらを接続するＩＮＳ（登録商標）回線又はインターネット網からなる通信網とを含む動画機能及びＴＶ電話機能付携帯電話を利用した人材募集・応募支援システムであって、
求人主体側の管理システムは、
前記通信網を介して、求人情報及び応募案内情報のＷｅｂ情報による提供、応募者からの氏名等の文字情報を含む応募情報のＷｅｂ情報による受信を行うＷＥＢサーバと、
ＴＶ電話使用のためのアクセス電話番号を含むＴＶ電話案内、当該応募者の採用可否情報のメール送信を行うメールサーバと、
この管理システムと前記動画機能及びＴＶ電話機能付第３世代携帯電話との間で交信される応募者、採用担当者の顔、或いは自己宣伝情報等に含まれる動画、音声の各情報のファイルフォーマット変換をリアルタイムで行なう変換サーバと、
担当者によるＴＶ電話モード設定指示又は予め設定される面接時間登録情報に基づく自動発信によるＴＶ電話モード又はアクセス電話番号に基づく応募者からの動画機能及びＴＶ電話機能付第３世代携帯電話によるＴＶ電話モードによる応募者との前記変換サーバによりファイルフォーマット変換された動画、静止画、前記変換サーバによりファイルフォーマット変換された音声によるオンライン面接、当該応募者の採用可否の評価を行うＴＶ電話サーバとしての担当者端末と、
前記動画機能及びＴＶ電話機能付第３世代携帯電話との接続を行なう回線制御サーバと、
応募者の応募情報及び変換サーバによりファイルフォーマット変換された動画による顔、或いは自己宣伝情報、静止画による顔、或いは自己宣伝情報、変換サーバによりファイルフォーマット変換された応募者の音声情報を読み出し可能に蓄積する管理用サーバ、データベースを含む情報蓄積処理手段と、
を有し、
応募者側の動画機能及びＴＶ電話機能付第３世代携帯電話又は応募者コンピュータ端末は、前記通信網を介して、求人主体側の管理システムが提供する求人情報の検索、応募案内情報に基づく氏名等の文字情報を含む応募情報による応募、ＴＶ電話を使用するための面接案内に応じたアクセス電話番号に基づく動画機能及びＴＶ電話機能付第３世代携帯電話によるＴＶ電話モードでの求人主体側の担当者端末のアクセスをはじめ動画機能に基づくＴＶ電話による採用担当者とのオンライン面接、求人主体側の管理システムからの採用可否情報の受信を行うこと、
を特徴とする動画機能及びＴＶ電話機能付携帯電話を利用した人材募集・応募支援システム。
【請求項１８】
求人主体側の管理システムと、応募者側の動画機能及びＴＶ電話機能付第３世代携帯電話又は応募者コンピュータ端末と、これらを接続するＩＮＳ（登録商標）回線又はインターネット網からなる通信網とを含む動画機能及びＴＶ電話機能付携帯電話を利用した人材募集・応募支援システムであって、
求人主体側の管理システムは、
前記通信網を介して、求人情報及び応募案内情報のＷｅｂ情報による提供、応募者からの氏名等の文字情報を含む応募情報のＷｅｂ情報による受信を行うＷＥＢサーバと、
ＴＶ電話使用のためのアクセス電話番号を含むＴＶ電話案内、当該応募者の採用可否情報のメール送信を行うメールサーバと、
この管理システムと前記動画機能及びＴＶ電話機能付第３世代携帯電話との間で交信されるビデオメッセージ、応募者の顔、或いは自己宣伝情報等に含まれる動画、音声の各情報のファイルフォーマット変換を行なう変換サーバと、
担当者によるＴＶ電話モード設定指示又は予め設定される面接時間登録情報に基づく自動発信によるＴＶ電話モード時又は応募者による動画機能及びＴＶ電話機能付第３世代携帯電話の発信によるＴＶ電話モード時での応募者の自己宣伝情報等の作成のための動画、静止画、音声の各情報を含むビデオメッセージの送信、応募者からの動画機能及びＴＶ電話機能付第３世代携帯電話によるＴＶ電話モードでの前記ビデオメッセージに従い、前記変換サーバによりファイルフォーマット変換された動画による顔、或いは自己宣伝情報又は静止画による顔、或いは自己宣伝情報、変換サーバによりファイルフォーマット変換された音声による自己宣伝情報等の受信を行うとともに当該応募者の採用可否の評価を行うＴＶ電話サーバとしての担当者端末と、
前記動画機能及びＴＶ電話機能付第３世代携帯電話との接続を行なうとともに送信されてくる動画、静止画、音声の情報からなる応募者の顔、自己宣伝情報等の蓄積を行なう回線制御サーバと、
応募者の応募情報及び変換サーバによりファイルフォーマット変換された動画による顔、或いは自己宣伝情報、静止画による顔、或いは自己宣伝情報、変換サーバによりファイルフォーマット変換された応募者の音声情報を読み出し可能に蓄積する管理用サーバ、データベースを含む情報蓄積処理手段と、
を有し、
応募者側の動画機能及びＴＶ電話機能付第３世代携帯電話又は応募者コンピュータ端末は、前記通信網を介して、求人主体側の管理システムが提供する求人情報の検索、応募案内情報に基づく氏名等の文字情報を含む応募情報による応募、ＴＶ電話を使用するためのＴＶ電話案内に応じた動画機能及びＴＶ電話機能付第３世代携帯電話によるＴＶ電話モードでの求人主体側の管理システムへのアクセスをはじめ、前記ビデオメッセージに応じた自己の顔、或いは自己宣伝情報の動画、静止画又は音声による送信、採用可否情報の受信を行うこと、
を特徴とする動画機能及びＴＶ電話機能付携帯電話を利用した人材募集・応募支援システム。
【請求項１９】
前記変換サーバは、応募者側の動画機能及びＴＶ電話機能付第３世代携帯電話から管理システムに送信されてくる３ＧＰＰ又は３ＧＰＰ２ファイルフォーマットの動画情報を、ＭＰＥＧ４又はＨ．２６３形式のファイルフォーマットへ変換するととともに、管理システムから応募者側の動画機能及びＴＶ電話機能付携帯電話へ送信する動画情報をＭＰＥＧ４又はＨ．２６３形式のファイルフォーマットから３ＧＰＰ又は３ＧＰＰ２ファイルフォーマットへ変換し、
動画機能及びＴＶ電話機能付第３世代応募者側の携帯電話から管理システムに送信されてくる音声情報をＡＭＲファイルフォーマットからＧ７１１ファイルフォーマットへ変換するとともに、管理システムから応募者側の動画機能及びＴＶ電話機能付携帯電話へ送信する音声情報をＧ７１１ファイルフォーマットからＡＭＲファイルフォーマットへ変換することを特徴とする請求項１７又は１８記載の動画機能及びＴＶ電話機能付携帯電話を利用した人材募集・応募支援システム。
【請求項２０】
データ管理センタの管理システムと、求人主体側の担当者端末と、応募者側の動画機能及びＴＶ電話機能付第３世代携帯電話又は応募者コンピュータ端末と、これらを接続するＩＮＳ（登録商標）回線又はインターネット網からなる通信網とを含む動画機能及びＴＶ電話機能付携帯電話を利用した人材募集・応募支援システムであって、
データ管理センタの管理システムは、
通信網を介して、求人主体に関する求人情報及び応募案内情報の提供、応募案内情報に基づいた応募者からの氏名等の文字情報を含む応募情報の受信を行うＷＥＢサーバと、
応募情報に応じたＴＶ電話を使用するための面接案内の送信、採用可否情報の応募者側の動画機能及びＴＶ電話機能付第３世代携帯電話又は応募者コンピュータ端末への送信を行うメールサーバと、
ＴＶ電話使用のためのアクセス電話番号を含むＴＶ電話案内、当該応募者の採用可否情報のメール送信を行うメールサーバと、
この管理システムと、求人主体側の担当者端末と、前記動画機能及びＴＶ電話機能付第３世代携帯電話との間で交信される応募者、担当者の顔、或いは自己宣伝情報等に含まれる動画、音声の各情報のファイルフォーマット変換をリアルタイムで行なう変換サーバと、
応募者の応募情報及び変換サーバによりファイルフォーマット変換された動画による顔、或いは自己宣伝情報、静止画による顔、或いは自己宣伝情報、変換サーバによりファイルフォーマット変換された応募者の音声情報を読み出し可能に蓄積する管理用サーバ、データベースを含む情報蓄積処理手段と、
を有し、
担当者端末は、通信網を介して、応募者からの前記面接案内に基づく動画機能及びＴＶ電話機能付第３世代携帯電話によるＴＶ電話モードでの接続に応じたＴＶ電話による応募者とのオンライン面接、当該応募者の採用可否の評価、その評価情報のデータ管理センタの管理システムへの送信、前記データ管理センタの管理システムの蓄積情報の閲覧を行うＴＶ電話機能付コンピュータ端末であり、
応募者側の動画機能及びＴＶ電話機能付第３世代携帯電話又は応募者コンピュータ端末は、通信網を介して、データ管理センタの管理システムが提供する求人情報の検索、応募案内情報に基づく氏名等の文字情報を含む応募情報による応募、ＴＶ電話を使用するための面接案内に応じた動画機能及びＴＶ電話機能付携帯電話によるＴＶ電話モードでの前記担当者端末へのアクセスをはじめ、動画機能に基づくＴＶ電話による動画による採用担当者とのオンライン面接、データ管理センタの管理システムからの採用可否情報の受信を行うこと、
を特徴とする動画機能及びＴＶ電話機能付携帯電話を利用した人材募集・応募支援システム。
【請求項２１】
データ管理センタの管理システムと、求人主体側の担当者端末と、応募者側の動画機能及びＴＶ電話機能付第３世代携帯電話又は応募者コンピュータ端末と、これらを接続する通信網とを含む動画機能及びＴＶ電話機能付携帯電話を利用した人材募集・応募支援システムであって、
データ管理センタの管理システムは、
前記通信網を介して、求人情報及び応募案内情報のＷｅｂ情報による提供、応募者からの氏名等の文字情報を含む応募情報のＷｅｂ情報による受信を行うＷＥＢサーバと、
応募情報に応じたＴＶ電話を使用するためのＴＶ電話案内の送信、ＴＶ電話モード時での応募者の自己宣伝情報等の作成のためのビデオメッセージの送信、採用可否情報の応募者側の動画機能及びＴＶ電話機能付携帯電話又は応募者コンピュータ端末への送信を行うメールサーバと、
この管理システムと前記動画機能及びＴＶ電話機能付第３世代携帯電話との間で交信されるビデオメッセージ、応募者の顔、或いは自己宣伝情報等に含まれる動画、音声の各情報のファイルフォーマット変換を行なう変換サーバと、
応募者の応募情報及び変換サーバによりファイルフォーマット変換された動画による顔、或いは自己宣伝情報、静止画による顔、或いは自己宣伝情報、変換サーバによりファイルフォーマット変換された応募者の音声情報を読み出し可能に蓄積する管理用サーバ、データベースを含む情報蓄積処理手段と、
前記動画機能及びＴＶ電話機能付第３世代携帯電話との接続を行なうとともに送信されてくる動画、静止画、音声の情報からなる応募者の顔、自己宣伝情報等の蓄積を行なう回線制御サーバと、
を有し、
担当者端末は、通信網を介して、応募者からの前記ＴＶ電話案内に基づく動画機能及びＴＶ電話機能付第３世代携帯電話によるＴＶ電話モードでの接続に応じたＴＶ電話による前記ビデオメッセージに従った変換サーバによりファイルフォーマット変換された動画による顔、或いは自己宣伝情報、静止画による顔、或いは自己宣伝情報、変換サーバによりファイルフォーマット変換された音声による自己宣伝情報の閲覧又は聴取、当該応募者の採用可否の評価、その評価情報のデータ管理センタの管理システムへの送信を行うＴＶ電話機能付コンピュータ端末であり、
応募者側の動画機能及びＴＶ電話機能付第３世代携帯電話又は応募者コンピュータ端末は、前記通信網を介して、求人主体側の管理システムが提供する求人情報の検索、応募案内情報に基づく氏名等の文字情報を含む応募情報による応募、ＴＶ電話を使用するためのＴＶ電話案内に応じた動画機能及びＴＶ電話機能付第３世代携帯電話によるＴＶ電話モードでの求人主体側の管理システムへのアクセスをはじめ、前記ビデオメッセージに応じた自己の顔、或いは自己宣伝情報の動画、静止画又は音声による送信、採用可否情報の受信を行うこと、
を特徴とする動画機能及びＴＶ電話機能付携帯電話を利用した人材募集・応募支援システム。
【請求項２２】
前記変換サーバは、応募者側の動画機能及びＴＶ電話機能付第３世代携帯電話から管理システムに送信されてくる３ＧＰＰ又は３ＧＰＰ２ファイルフォーマットの動画情報を、ＭＰＥＧ４又はＨ．２６３形式のファイルフォーマットへ変換するととともに、管理システムから応募者側の動画機能及びＴＶ電話機能付携帯電話へ送信する動画情報をＭＰＥＧ４又はＨ．２６３形式のファイルフォーマットから３ＧＰＰ又は３ＧＰＰ２ファイルフォーマットへ変換し、
動画機能及びＴＶ電話機能付第３世代応募者側の携帯電話から管理システムに送信されてくる音声情報をＡＭＲファイルフォーマットからＧ７１１ファイルフォーマットへ変換するとともに、管理システムから応募者側の動画機能及びＴＶ電話機能付携帯電話へ送信する音声情報をＧ７１１ファイルフォーマットからＡＭＲファイルフォーマットへ変換することを特徴とする請求項２０又は２１記載の動画機能及びＴＶ電話機能付携帯電話を利用した人材募集・応募支援システム。
【考案の詳細な説明】
【技術分野】
【０００１】
本考案は、動画機能及びＴＶ電話機能付携帯電話を利用した人材募集・応募支援システムに関するものである。
【背景技術】
【０００２】
例えば、企業等が人材の募集を行い、求職者がこれに応募する場合において、従来においては応募者は紙媒体である履歴書に自己の氏名、年令、住所、学歴又は職歴、更には自己の特徴、特技等のプロフィールをテキスト情報として記載し、また、顔写真を貼付した後、この履歴書を募集企業に送ることが一般的である。
【０００３】
募集企業側では、応募者からの履歴書を参照して、採用可否の判断を行うが、この場合の判断資料は、履歴書に記載されているテキスト情報や顔写真だけしかなく情報不足であり、このため募集内容に応じた最適の人材か否かの判断に迷うことが多い。
この結果、募集企業側では、最適の人材を求めるべく応募者との面接日時を設定し、応募者と直接面接することになるが、面接のために要する時間、労力、費用等々が、募集企業、応募者双方にとって大きな負担となっているのが実情である。
【０００４】
近年では、インターネット等の通信網を利用し、募集企業側が紙媒体である履歴書に替えて電子メール等で応募者のプロフィールをテキスト情報で、応募者の顔画像を画像データで受信し、募集内容に応じた最適の人材か否かの判断を行うことも行われているが、この場合においてもコンピュータ端末等の画面でテキスト情報、顔画像を視認しての判断となり、紙媒体である履歴書と同様、情報不足であり、応募者と直接面接することが必要であるという煩雑さを解消できていない。
【０００５】
特許文献１には、求人側の人材開発支援サーバとユーザ端末（コンピュータ）とを通信網で接続した構成において、求職者がユーザ端末により自己紹介を内容とする動画、静止画及びテキストを組み合わせた電子的な履歴書を作成して求人側の人材開発支援サーバに送信し、求人側において求職者から送信された電子的な履歴書を閲覧するように構成した人事採用支援装置が提案されている。
【０００６】
しかし、この特許文献１の人事採用支援装置の場合、求職者がユーザ端末（コンピュータ）を使用する構成であり、携帯電話を使用する場合のような簡便性は望めない。
【０００７】
特許文献２には、動画機能を有する携帯端末のユーザに対して、インターネットを介して動画を含む広告等を配信するとともに、動画内容に関連ある項目へのリンクを可能とするクリック用の表示を併せて配信することを主内容とするインターネットアクセス方法及び広告配信方法が提案されている。
【０００８】
しかし、この特許文献２の考案の場合、動画機能を有する携帯端末を使用するものではあるが、人材の募集や応募に関連するものではない。
【特許文献１】特開２００３−８５３３３号公報
【特許文献２】特開２００５−３３２０９９号公報
【考案の開示】
【考案が解決しようとする課題】
【０００９】
本考案が解決しようとする問題点は、応募者側の携帯電話、通信網、求人主体側のコンピュータシステムを利用し、応募者、担当者間の直接的な面接を不要とし、募集から採用に至るまでの時間、労力、費用等々の軽減を図ることが可能な人材募集・応募支援システム、更にはＡＳＰ（Ａｐｐｌｉｃａｔｉｏｎ  Ｓｅｒｖｉｃｅ  Ｐｒｏｖｉｄｅｒ）対応の人材募集・応募支援システムが存在しない点である。
【課題を解決するための手段】
【００１０】
本考案は、求人主体側の管理システムと、応募者側の動画機能及びＴＶ電話機能付携帯電話又は応募者コンピュータ端末と、これらを接続する通信網とを含む動画機能及びＴＶ電話機能付携帯電話を利用した人材募集・応募支援システムであって、求人主体側の管理システムは、通信網を介して、求人情報及び応募案内情報の提供、応募案内情報に基づいた応募者からの氏名等の文字情報を含む応募情報の受信、応募情報に応じたＴＶ電話を使用するための面接案内の送信、応募者からの動画機能及びＴＶ電話機能付携帯電話によるＴＶ電話モードでの接続に応じたＴＶ電話による応募者との動画によるオンライン面接、当該応募者への採用可否情報の送信を行うとともに、前記応募情報及びオンライン面接情報に応じた当該応募者の採用可否の評価、応募者の応募情報及び動画又は静止画による面接情報の蓄積を行い、応募者側の動画機能及びＴＶ電話機能付携帯電話又は応募者コンピュータ端末は、通信網を介して、求人主体側の管理システムが提供する求人情報の検索、応募案内情報に基づく氏名等の文字情報を含む応募情報による応募、ＴＶ電話を使用するための面接案内に応じた動画機能及びＴＶ電話機能付携帯電話によるＴＶ電話モードでの求人主体側の管理システムへのアクセス、動画機能に基づくＴＶ電話による動画による採用担当者とのオンライン面接、求人主体側の管理システムからの採用可否情報の受信を行うことを最も主要な特徴とする。
【考案の効果】
【００１１】
本考案によれば、以下の効果を奏する。
請求項１乃至４記載の考案によれば、応募者が第３世代携帯電話又はＩＰ対応携帯電話のような携帯電話又は応募者コンピュータ端末を使用することで、求人主体へ応募した場合、求人主体の担当者と直接面接する労力、時間、コストを消耗することなく、当該求人主体に応募した結果を速やかに認識することができるという顕著な効果を奏する動画機能及びＴＶ電話機能付携帯電話を利用した人材募集・応募支援システムを提供できる。
【００１２】
また、求人主体側は、求人を行った場合、応募者と直接面接することが不要となり、直接面接実行時と比較し、労力、時間、コストの削減を図れ、応募者の氏名等の文字情報からなる応募情報に加え、動画によるオンライン面接を行うことで、応募者の顔の表情の変化、姿勢、喋り方等を判断でき、従来のような履歴書のみでは見抜けない優秀な人材の短時間での絞り込み、確保が可能となり、募集から採用決定までリードタイムの削減を図ることができる動画機能及びＴＶ電話機能付携帯電話を利用した人材募集・応募支援システムを提供できる。
【００１３】
請求項５乃至８記載の考案によれば、応募者が第３世代携帯電話のような携帯電話又はＩＰ対応携帯電話のような携帯電話又は応募者コンピュータ端末を使用することで、求人主体へ応募し、自己の顔、或いは姿勢等々の動画或いは自己の顔の静止画を求人主体側の管理システムに送信することで、求人主体の担当者と直接面接することが不要となり、労力、時間、コストを消耗することなく、当該求人主体に応募した結果を速やかに認識することができるという顕著な効果を奏する動画機能及びＴＶ電話機能付携帯電話を利用した人材募集・応募支援システムを提供できる。
【００１４】
また、求人主体側は、求人を行った場合、応募者の氏名等の文字情報からなる応募情報に加え、応募者の顔、或いは姿勢等々の動画或いは応募者の顔のような静止画を受信、蓄積し、評価することで、応募者と直接面接することが不要となり、直接面接実行時と比較し、労力、時間、コストの削減を図れる。また、動画により応募者の顔の表情の変化、姿勢、喋り方等を判断でき、従来のような履歴書のみでは見抜けない優秀な人材の短時間での絞り込み、確保が可能となり、募集から採用決定までリードタイムの削減を図ることができる動画機能及びＴＶ電話機能付携帯電話を利用した人材募集・応募支援システムを提供できる。更に、オンライン面接の際に、応募者側の携帯電話又はＩＰ対応携帯電話のような携帯電話又は応募者コンピュータ端末と求人主体側のWｅｂカメラ付端末との間で、テレビ電話、オンライン面接が可能となり、この面接の様子（応募者側の動画及び求人主体側の動画）を録画蓄積することが可能となることから、求人主体側の（例えば複数の）面接者が、後日その面接時の動画を確認することができる動画機能及びＴＶ電話機能付携帯電話を利用した人材募集・応募支援システムを提供できる。
【００１５】
請求項９乃至１１記載の考案によれば、データ管理センタの管理システム、求人主体側の担当者端末、応募者側の第３世代携帯電話のような携帯電話又はＩＰ対応携帯電話のような携帯電話又は応募者コンピュータ端末、これらを接続するＩＮＳ（登録商標）回線、インターネット網のような通信網を含むシステム構成で、応募者が第３世代携帯電話又はＩＰ対応携帯電話のような携帯電話又は応募者コンピュータ端末を使用し、データ管理センタの管理システムを介して求人主体へ応募した場合、前記担当者端末との間でオンライン面接を行うことができ、求人主体の担当者と直接面接する労力、時間、コストを消耗することなく、当該求人主体に応募した結果を速やかに認識することができるという顕著な効果を奏する動画機能及びＴＶ電話機能付携帯電話を利用した人材募集・応募支援システムを提供できる。
【００１６】
また、求人主体側は、データ管理センタの管理システムを介して求人を行った場合、応募者と直接面接することが不要となり、直接面接実行時と比較し、労力、時間、コストの削減を図れ、応募者の氏名等の文字情報からなる応募情報に加え、担当者端末により動画によるオンライン面接を行うことにより、応募者の顔の表情の変化、姿勢、喋り方等を判断でき、従来のような履歴書のみでは見抜けない優秀な人材の短時間での絞り込み、確保が可能となり、募集から採用決定までリードタイムの削減を図ることができる動画機能及びＴＶ電話機能付携帯電話を利用した人材募集・応募支援システムを提供できる。
【００１７】
請求項１２乃至１４記載の考案によれば、データ管理センタの管理システム、求人主体側の担当者端末、応募者側の第３世代携帯電話のような携帯電話又はＩＰ対応携帯電話のような携帯電話又は応募者コンピュータ端末、これらを接続するＩＮＳ（登録商標）回線、インターネット網のような通信網を含むシステム構成で、応募者が第３世代携帯電話のような携帯電話又はＩＰ対応携帯電話のような携帯電話又は応募者コンピュータ端末を使用し、データ管理センタの管理システムを介して求人主体に応募し、自己の顔、或いは姿勢等の動画又は自己の顔の静止画を求人主体側の管理システムに送信することで、求人主体の担当者と直接面接することが不要となり、労力、時間、コストを消耗することなく、当該求人主体に応募した結果を速やかに認識することができるという顕著な効果を奏する動画機能及びＴＶ電話機能付携帯電話を利用した人材募集・応募支援システムを提供できる。
【００１８】
また、求人主体側は、データ管理センタの管理システムを介して求人を行った場合、管理システムに蓄積される応募者の氏名等の文字情報からなる応募情報に加え、応募者の顔、或いは姿勢等の動画又は応募者の顔のような静止画を閲覧し、評価することができ、応募者と直接面接することが不要となり、直接面接実行時と比較し、労力、時間、コストの削減を図れる。また、動画により応募者の顔の表情の変化、姿勢、喋り方等を判断でき、従来のような履歴書のみでは見抜けない優秀な人材の短時間での絞り込み、確保が可能となり、募集から採用決定までリードタイムの削減を図ることができる動画機能及びＴＶ電話機能付携帯電話を利用した人材募集・応募支援システムを提供できる。
【００１９】
請求項１５記載の考案によれば、請求項１乃至１４の各効果を発揮しながら、複数人で前記オンライン面接等の面接情報を閲覧することができる動画機能及びＴＶ電話機能付携帯電話を利用した人材募集・応募支援システムを提供できる。
【００２０】
請求項１６記載の考案によれば、前記応募者側の携帯電話が動画及びＴＶ電話機能を有していない場合、前記求人情報及び応募案内情報の提供、応募案内情報に基づいた応募者からの氏名等の文字情報を含む応募情報の受信、応募情報に応じたＴＶ電話を使用するための面接案内の送信等を、テキスト及び静止画により行うことにより、請求項１乃至１５の各効果を発揮できる動画機能及びＴＶ電話機能付携帯電話を利用した人材募集・応募支援システムを提供できる。
【００２１】
請求項１７記載の考案によれば、応募者が第３世代携帯電話又は応募者コンピュータ端末を使用することで、求人主体へ応募した場合、求人主体の担当者と直接面接する労力、時間、コストを消耗することなく、当該求人主体に応募した結果を速やかに認識することができるという顕著な効果を奏する動画機能及びＴＶ電話機能付携帯電話を利用した人材募集・応募支援システムを提供できる。また、求人主体側は、求人を行った場合、応募者と直接面接することが不要となり、直接面接実行時と比較し、労力、時間、コストの削減を図れ、応募者の氏名等の文字情報からなる応募情報に加え、動画又は静止画、音声によるオンライン面接を行うことで、応募者の顔の表情の変化、姿勢、喋り方等を判断でき、従来のような履歴書のみでは見抜けない優秀な人材の短時間での絞り込み、確保が可能となり、募集から採用決定までリードタイムの削減を図ることができる動画機能及びＴＶ電話機能付携帯電話を利用した人材募集・応募支援システムを提供できる。
【００２２】
請求項１８記載の考案によれば、応募者が第３世代携帯電話又は応募者コンピュータ端末を使用することで、求人主体へ応募し、自己の顔、或いは姿勢等々の動画或いは自己の顔の静止画、音声を求人主体側の管理システムに送信することで、求人主体の担当者と直接面接することが不要となり、労力、時間、コストを消耗することなく、当該求人主体に応募した結果を速やかに認識することができ、また、求人主体側は、求人を行った場合、応募者と直接面接することが不要となり、直接面接実行時と比較し、労力、時間、コストの削減を図れ、応募者の氏名等の文字情報からなる応募情報に加え、動画又は静止画、音声による情報を閲覧、聴取でき、応募者の顔の表情の変化、姿勢、喋り方等を判断でき、従来のような履歴書のみでは見抜けない優秀な人材の短時間での絞り込み、確保が可能となり、募集から採用決定までリードタイムの削減を図ることができる動画機能及びＴＶ電話機能付携帯電話を利用した人材募集・応募支援システムを提供できる。
【００２３】
請求項１９記載の考案によれば、請求項１７又は１８記載の考案における第３世代携帯電話、求人主体側の管理システム間の動画、音声のファイルフォーマット変換を確実に実行でき、請求項１７又は１８記載の考案に係る動画機能及びＴＶ電話機能付携帯電話を利用した人材募集・応募支援システムを円滑に運用することが可能となる。
【００２４】
請求項２０記載の考案によれば、データ管理センタの管理システムと、求人主体側の担当者端末と、応募者側の動画機能及びＴＶ電話機能付第３世代携帯電話又は応募者コンピュータ端末と、これらを接続するＩＮＳ（登録商標）回線又はインターネット網からなる通信網とを含む構成で、応募者が第３世代携帯電話又は応募者コンピュータ端末を使用することで、データ管理センタを介して求人主体へ応募した場合、求人主体の担当者と直接面接する労力、時間、コストを消耗することなく、当該求人主体に応募した結果を速やかに認識することができるという顕著な効果を奏する動画機能及びＴＶ電話機能付携帯電話を利用した人材募集・応募支援システムを提供できる。また、求人主体側は、データ管理センタを介して求人を行った場合、応募者と直接面接することが不要となり、直接面接実行時と比較し、労力、時間、コストの削減を図れ、応募者の氏名等の文字情報からなる応募情報に加え、動画又は静止画、音声によるオンライン面接を行うことで、応募者の顔の表情の変化、姿勢、喋り方等を判断でき、従来のような履歴書のみでは見抜けない優秀な人材の短時間での絞り込み、確保が可能となり、募集から採用決定までリードタイムの削減を図ることができる動画機能及びＴＶ電話機能付携帯電話を利用した人材募集・応募支援システムを提供できる。
【００２５】
請求項２１記載の考案によれば、データ管理センタの管理システムと、求人主体側の担当者端末と、応募者側の動画機能及びＴＶ電話機能付第３世代携帯電話又は応募者コンピュータ端末と、これらを接続するＩＮＳ（登録商標）回線又はインターネット網からなる通信網とを含む構成で、応募者が第３世代携帯電話又は応募者コンピュータ端末を使用することで、管理システムを介して求人主体へ応募し、自己の顔、或いは姿勢等々の動画或いは自己の顔の静止画、音声を求人主体側の管理システムに送信することで、求人主体の担当者と直接面接することが不要となり、労力、時間、コストを消耗することなく、当該求人主体に応募した結果を速やかに認識することができる。また、求人主体側は、管理システムを介して求人を行った場合、応募者と直接面接することが不要となり、直接面接実行時と比較し、労力、時間、コストの削減を図れ、応募者の氏名等の文字情報からなる応募情報に加え、動画又は静止画、音声による情報を閲覧、聴取でき、応募者の顔の表情の変化、姿勢、喋り方等を判断でき、従来のような履歴書のみでは見抜けない優秀な人材の短時間での絞り込み、確保が可能となり、募集から採用決定までリードタイムの削減を図ることができる動画機能及びＴＶ電話機能付携帯電話を利用した人材募集・応募支援システムを提供できる。
【００２６】
請求項２２記載の考案によれば、請求項２０又は２１記載の考案における第３世代携帯電話、求人主体側の管理システム間の動画、音声のファイルフォーマット変換を確実に実行でき、請求項２０又は２１記載の考案に係る動画機能及びＴＶ電話機能付携帯電話を利用した人材募集・応募支援システムを円滑に運用することが可能となる。
【考案を実施するための最良の形態】
【００２７】
この考案は、応募者側の携帯電話、通信網、求人主体側のコンピュータシステムを利用して、応募者、担当者間の直接的な面接を不要とし、募集から採用に至るまでの時間、労力、費用の軽減を図ることが可能な人材募集・応募支援システムを提供するという考案の目的を、求人主体側の管理システムと、応募者側の動画機能及びＴＶ電話機能付携帯電話又は応募者コンピュータ端末と、これらを接続する通信網とを含む動画機能及びＴＶ電話機能付携帯電話を利用した人材募集・応募支援システムであって、求人主体側の管理システムは、通信網を介して、求人情報及び応募案内情報のＷｅｂ情報による提供、応募者からの氏名等の文字情報を含む応募情報のＷｅｂ情報による受信を行うＷＥＢサーバと、ＴＶ電話使用のためのアクセス電話番号を含む面接案内、当該応募者の採用可否情報のメール送信を行うメールサーバと、アクセス電話番号に基づく応募者からの動画機能及びＴＶ電話機能付携帯電話によるＴＶ電話モードでのアクセスに応じてＴＶ電話による応募者との動画によるオンライン面接を行うとともに当該応募者の採用可否の評価を行うＴＶ電話サーバとしての担当者端末と、応募者の応募情報及び動画又は静止画による面接情報を読み出し可能に蓄積する情報蓄積処理手段と、を有し、応募者側の動画機能及びＴＶ電話機能付携帯電話又は応募者コンピュータ端末は、通信網を介して、求人主体側の管理システムにおけるＷＥＢサーバが提供する求人情報の検索、応募案内情報に基づく氏名等の文字情報を含む応募情報による応募、ＴＶ電話を使用するためのメールでの面接案内に応じたアクセス電話番号に基づく動画機能及びＴＶ電話機能付携帯電話によるＴＶ電話モードでの求人主体側の担当者端末へのアクセス、動画機能に基づくＴＶ電話による採用担当者との動画によるオンライン面接、求人主体側の管理システムからの採用可否情報のメールでの受信を行う構成により実現した。
【実施例】
【００２８】
以下に、本考案の実施例に係る動画機能及びＴＶ電話機能付携帯電話を利用した人材募集・応募支援システムについて詳細に説明する。
【００２９】
（実施例１）
図１は、本考案の実施例に係る動画機能及びＴＶ電話機能付携帯電話を利用した人材募集・応募支援システム（以下「本システム」ともいう）１の全体構成を示すもので、本システム１は、人材を募集する例えば企業等のような求人主体側の管理システム２と、当該求人に応募する応募者側の動画機能及びＴＶ電話機能付の３Ｇ携帯電話２０Ａ（以下「携帯電話２０Ａ」という）又は応募者側のＩＰ対応動画機能及びＴＶ電話機能付携帯電話２０Ｂ（以下「携帯電話２０Ｂ」という）と、応募者側のコンピュータ端末２０Ｃと、前記携帯電話２０Ａ、コンピュータ端末２０Ｃと管理システム２とを接続する例えばＩＮＳ（Ｉｎｆｏｒｍａｔｉｏｎ  Ｎｅｔｗｏｒｋ  Ｓｙｓｔｅｍ：ＩＮＳ６４，ＩＮＳ１５００）回線のような公衆網３１、又は、前記携帯電話２０Ｂ、コンピュータ端末２０Ｃと管理システム２とを接続する例えばインターネット（Ｉｎｔｅｒｎｅｔ）網３２を含む通信網３０とを含んで構成している。
【００３０】
ここに、３Ｇ携帯電話とは、第３世代携帯電話、すなわち、ＩＴＵ（国際電気通信連合）によって定められたＩＭＴ−２０００標準に準拠したデジタル携帯電話を意味する。
【００３１】
また、ＩＰ対応の携帯電話２０Ｂは、インターネットプロトコル（Ｉｎｔｅｒｎｅｔ  Ｐｒｏｔｏｃｏｌ）に対応したデジタル携帯電話を意味する。
【００３２】
本システム１における求人主体側の管理システム２は、前記インターネット網３２に接続される通信プロトコル変換等を行うルータ、ファイアーウォール等のような回線処理手段４１と、この回線処理手段４１に接続したＬＡＮ（ローカルエリアネットワーク）４２とを具備し、ＬＡＮ４２に対して前記公衆網３１と接続される回線制御サーバ４３、ＷＥＢサーバ４４、メールサーバ４５、ＴＶ電話サーバとして機能する担当者端末４６を有している。
【００３３】
更に、本システム１における求人主体側の管理システム２は、応募者からの文字情報等の応募情報を読み出し可能に蓄積する第１のデータベース４７、応募者との面接情報等の動画情報又は静止画情報を読み出し可能に蓄積する第２のデータベース４８、種々の情報を読み出し可能に蓄積する第３のデータベース４９、これら第１のデータベース４７、第２のデータベース４８及び第３のデータベース４９を管理する管理用サーバ５０からなる情報蓄積処理手段５１を具備している。
【００３４】
前記ＷＥＢサーバ４４は、回線処理手段４１、インターネット網３２を介して当該求人主体の求人情報、応募案内情報の提供、応募者からの応募情報のＷｅｂ情報での受信を行い、又は、前記回線制御サーバ４３、公衆網３１を介して当該求人主体の求人情報、応募案内情報の提供、応募者からの応募情報のＷｅｂ情報での受信を行うようになっている。
【００３５】
前記メールサーバ４５は、応募者からの氏名、年令等の文字情報を含む応募情報に応じたＴＶ電話を使用するためのアクセス電話番号付きの面接案内のメール送信、ＴＶ電話モード時のビデオメッセージの送信、当該応募者への採用可否を示す採用可否情報の送信等を行うようになっている。
【００３６】
前記担当者端末４６は、図２においても示すように、表示部６１、入力部６２、スピーカ６３、Ｗｅｂカメラ（デジタルカメラ）６４を搭載したＴＶ電話機能を有するコンピュータ端末６０と、このコンピュータ端末６０に接続したマイク６５と、を具備し、求人に関する担当者がこの担当者端末４６を使用して応募者との間でＴＶ電話による面接を実行可能に構成している。更に、担当者が応募者からの応募情報やＴＶ電話による面接の情報に基づき、当該応募者の採用可否の評価を行い、その評価結果である採用可否情報の作成等を実行可能に構成している。
【００３７】
すなわち、前記担当者端末４６は、前記第１のデータベース４７、第２のデータベース４８等に蓄積した応募者からの応募情報やＴＶ電話による面接の情報（動画、音声、応募者の顔等の静止画）を条件付（例えば、応募者の年令、性別、学校名、住所、職歴、資格等を検索条件として）で閲覧する機能、応募者に対する評価（ランキング）入力機能、ブックマーク付加機能、グループ分機能等を実行可能としている。
【００３８】
前記管理用サーバ５０は、応募者からの応募情報やＴＶ電話による面接の情報（動画情報又は静止画情報）を、例えば、応募者の年令、性別、学校名、住所、職歴、資格等の検索条件に関連付けて管理し、これらを前記第１のデータベース４７、第２のデータベース４８等に読み出し可能に蓄積するように構成している。
【００３９】
更に、前記管理用サーバ５０は、多数の応募者からの検索や応募のアクセス件数を管理し、これらを時間帯別、日別、月別、通信網３０との接続回線が複数ある場合の接続回線別、メール等の受信件数と分数、発信件数と分数等を集計、管理、第３のデータベース４９への蓄積等を実行するようになっている。
【００４０】
応募者がコンピュータ端末２０Ｃ、携帯電話２０Ａを使用する場合、これらコンピュータ端末２０Ｃ、携帯電話２０Ａは、公衆網３１を介して求人主体側の管理システム２が提供する求人情報の検索、応募案内情報に基づく氏名等々の文字情報を含む応募情報による応募、動画機能に基づくＴＶ電話による採用担当者とのオンライン面接、求人主体側の管理システム２からの採用可否情報のメールによる受信を行うようになっている。
【００４１】
また、応募者がコンピュータ端末２０Ｃ、携帯電話２０Ｂを使用する場合、これらコンピュータ端末２０Ｃ、携帯電話２０Ｂは、インターネット網３２を介して求人主体側の管理システム２が提供する求人情報の検索、応募案内情報に基づく氏名等々の文字情報を含む応募情報による応募、動画機能に基づくＴＶ電話による採用担当者とのオンライン面接、求人主体側の管理システム２からの採用可否情報のメールによる受信を行うようになっている。すなわち、携帯電話２０Ａ又は携帯電話２０Ｂは、周知のように、動画機能、ＴＶ電話機能、メールの作成やメールの送受信機能、搭載マイクによる音声等の録音機能、搭載スピーカによる音声等の発音機能等を具備している。
【００４２】
次に、本実施例１に係る人材募集・応募支援システム１の動作を、例えば応募者がコンピュータ端末２０Ｃ、ＩＰ対応の携帯電話２０Ｂを使用して求人主体に応募し、求人主体の担当者との間でオンライン面接を行う場合を例にとり、図３をも参照して説明する。
【００４３】
求人主体側の管理システム２におけるＷＥＢサーバ４４は、回線処理手段４１、インターネット網３２を介して当該求人主体の求人情報、氏名、携帯電話番号、メールアドレス入力欄等の文字情報入力欄を含む応募案内情報をＷｅｂ情報として提供する。
【００４４】
求職を望む応募者は、自己のコンピュータ端末２０Ｃ（又は携帯電話２０Ｂ）を使用してインターネット網３２を介して、当該求人主体の求人情報を検索し、応募を望む場合には、応募案内情報欄に自己の氏名、携帯電話番号或いはメールアドレス等を入力し、管理システム２に応募情報として返信する。
【００４５】
求人主体側の管理システム２におけるＷＥＢサーバ４４は、応募者からの応募情報を受信する。
【００４６】
また、この応募情報を見た担当者がオンライン面接を行うと判断した場合には、メールサーバ４５から応募者のメールアドレスに向けてオンラインＴＶ電話を使用するためのアクセス電話番号付きの面接案内をメールにて応募者に送信する。
【００４７】
応募者は、コンピュータ端末２０Ｃ（又は携帯電話２０Ｂ）にて面接案内のメールを受信した場合、自己の携帯電話２０Ｂを使用して前記アクセス電話番号を入力し、求人主体側の管理システム２にアクセスするとともに、自己の携帯電話２０ＢをＴＶ電話モードに設定する。
【００４８】
求人主体側の管理システム２における前記担当者端末４６も、携帯電話２０Ｂからアクセスがあった場合にはＴＶ電話モードになる。
【００４９】
これにより、求人主体側の担当者と、応募者との間でＴＶ電話モードでのオンライン面接が実行される。
【００５０】
このとき、応募者は自己の携帯電話２０Ｂのデジタルカメラ及びマイクを使用し、自己の顔、動作等を動画にて撮像し、又は自己の顔を静止画にて撮像し、また、自己宣伝、職歴等をマイクに向けて発音する。これら動画、音声の情報、又は静止画の情報は携帯電話２０Ｂから前記管理システム２の担当者端末４６に送信され、その表示部６１により図２に示すような画像表示、スピーカ６３からの発音が行われる。なお、図２は表示部６１に応募者の全身像を動画にて表示した例を示すものであるが、応募者の顔等の静止画も同様に表示される。
【００５１】
一方、担当者端末４６を操作する担当者の顔の画像は、Ｗｅｂカメラ６４により動画として撮像され、また担当者の声はマイク６５に入力され、これら動画、音声又は静止画の情報は管理システム２からインターネット網３２を経て携帯電話２０Ｂに送信されて、図２に示すように、携帯電話２０Ｂの画面に表示され、また、担当者の声は携帯電話２０Ｂのスピーカから発音される。
【００５２】
このような求人主体側の担当者と、応募者との間におけるＴＶ電話モードでのオンライン面接時の画像や音声、又は静止画の送受信の形態は、担当者、応募者双方の画面操作等に応じて種々の形態で実行されることはいうまでもない。
【００５３】
求人主体側の担当者と、応募者との間におけるオンライン面接が終了すると、双方のＴＶ電話モードも終了となる。
【００５４】
前記応募者からの応募情報、オンライン面接時の応募者の動画、音声の情報又は静止画の情報（応募者からの応募情報等の情報）は前記管理用サーバ５０の管理の基に前記第１のデータベース４７、第２のデータベース４８等に、例えば前記携帯電話番号、メールアドレス等に関連付けて一括管理可能に、且つ、読み出し可能に蓄積される。
【００５５】
この後、求人主体側では、担当者が担当者端末４６を使用し、前記第１のデータベース４７、第２のデータベース４８等に蓄積した応募者からの応募情報、オンライン面接時の応募者の動画、音声又は静止画の情報を閲覧し、当該応募者の採用可否の評価を行い、採用可否を示す採用可否情報を作成してこれを当該応募者のコンピュータ端末２０Ｃ（又は携帯電話２０Ｂ）にメールにて送信する。
【００５６】
これにより、応募者は、求人主体の担当者と直接面接する労力、時間、コストを消耗することなく、当該求人主体に応募した結果を速やかに認識することができる。
【００５７】
また、求人主体側においても、応募者と直接面接することが不要となり、直接面接実行時と比較し、労力、時間、コストの削減を図ることができる。また、動画又は静止画（応募者からの応募情報等の情報）によるオンライン面接を行うことで、応募者の顔の表情の変化、姿勢、喋り方等々を判断することができ、従来の如く履歴書のみでは見抜けない優秀な人材の短時間での絞り込み、確保が可能となり、募集から採用決定までリードタイムが削減される。
【００５８】
更に、採用担当者が複数存在する場合でも、担当者端末４６を複数構成とすれば、前記第１のデータベース４７、第２のデータベース４８等に蓄積した応募者からの応募情報、オンライン面接時の応募者の動画、音声の情報等を随時閲覧し評価できるので、担当者間の時間調整等の煩雑さを無くすことができる。
【００５９】
なお、以上述べた実施例１では、応募者がコンピュータ端末２０Ｃ、携帯電話２０Ｂを使用する場合について説明したが、応募者がコンピュータ端末２０Ｃ、第３世代対応の携帯電話２０Ａを使用し、公衆網３１を介して求人主体の管理システム２にアクセスする場合においても、図３に示す一連の処理が上述した場合と同様に実行され、応募者は、求人主体の担当者と直接面接する労力、時間、コストを消耗することなく、当該求人主体に応募した結果を速やかに認識することができる。また、求人主体側においても、応募者と直接面接することが不要となり、直接面接実行時と比較し、労力、時間、コストの削減を図ることができる。また、動画又は静止画（応募者からの応募情報等の情報）によるオンライン面接を行うことで、応募者の顔の表情の変化、姿勢、喋り方等を判断でき、従来のような履歴書のみでは見抜けない優秀な人材の短時間での絞り込み、確保が可能となり、募集から採用決定までリードタイムが削減されるという効果を発揮させることができる。
【００６０】
更に、実施例１によれば、オンライン面接の際に、応募者側の携帯電話又はＩＰ対応携帯電話のような携帯電話又は応募者コンピュータ端末と求人主体側のWｅｂカメラ付端末との間で、テレビ電話、オンライン面接が可能となり、この面接の様子（応募者側の動画及び求人主体側の動画）を録画蓄積することが可能となることから、求人主体側の（例えば複数の）面接者が、後日その面接時の動画を確認することができる人材募集・応募支援システムを実現できる。
【００６１】
（実施例２）
次に、本考案の実施例２に係る人材募集・応募支援システムについて、図１及び図４を参照して説明する。
【００６２】
本実施例２に係る人材募集・応募支援システムは、図１に示すようなシステム構成である点は基本的に実施例１に係る人材募集・応募支援システム１と同様であるが、担当者と応募者との間でオンライン面接を行うのではなく、図４に示すように、ＴＶ電話モードにおいてビデオメッセージに従った応募者の動画による顔、或いは自己宣伝情報又は静止画による顔、或いは自己宣伝情報を管理システム２で受信、蓄積するようにしたことが特徴である。
【００６３】
本実施例２に係る人材募集・応募支援システム１の動作を、例えば応募者がコンピュータ端末２０Ｃ、ＩＰ対応の携帯電話２０Ｂを使用して求人主体に応募する場合について、図４も参照して説明する。
【００６４】
求人主体側の管理システム２におけるＷＥＢサーバ４４は、回線処理手段４１、通信網３０を介して当該求人主体の求人情報、氏名、携帯電話番号、メールアドレス入力欄等の文字情報入力欄を含む応募案内情報をＷｅｂ情報として提供する。
【００６５】
求職を望む応募者は、自己のコンピュータ端末２０Ｃ（又は携帯電話２０Ｂ）を使用してインターネット網３２を介して当該求人主体の求人情報を検索し、応募を望む場合には、応募案内情報欄に自己の氏名、携帯電話番号或いはメールアドレス等を入力し、管理システム２に応募情報として返信する。
【００６６】
求人主体側の管理システム２におけるＷＥＢサーバ４４は、応募者からの応募情報を受信する。
【００６７】
次に、当該応募者とＴＶ電話で交信しようとする場合には、管理システム２のメールサーバ４５から応募者のコンピュータ端末２０Ｃ（又は携帯電話２０Ｂ）のメールアドレスに向けてオンラインＴＶ電話を使用するためのアクセス電話番号付きのＴＶ電話案内をメールにて送信する。
【００６８】
応募者は、ＴＶ電話案内のメールを受信した場合、自己の携帯電話２０Ｂを使用して前記アクセス電話番号を入力し、求人主体側の管理システム２にアクセスするとともに、自己の携帯電話２０ＢをＴＶ電話モードに設定する。
【００６９】
求人主体側の管理システム２におけるメールサーバ４５は、応募者からのアクセスがあった場合、メールサーバ４５から携帯電話２０Ｂに向けてＴＶ電話による応募者の自己宣伝情報等の作成のためのビデオメッセージを送信する。
【００７０】
応募者は、ビデオメッセージに従って携帯電話２０Ｂを操作し、動画による顔、或いは自己宣伝情報、音声による自己宣伝情報又は静止画による顔、或いは自己宣伝情報を管理システム２に送信し、この後、ＴＶ電話モードが終了する。
【００７１】
前記応募者からの応募情報、オンライン面接時の応募者の動画、音声の情報又は静止画の情報は前記管理用サーバ５０の管理の基に前記第１のデータベース４７、第２のデータベース４８等に、例えば前記携帯電話番号、メールアドレス等に関連付けて一括管理可能に、且つ、読み出し可能に蓄積される。
【００７２】
この後、求人主体側では、担当者が担当者端末４６を使用し、前記第１のデータベース４７、第２のデータベース４８等に蓄積した応募者からの応募情報、オンライン面接時の応募者の動画、音声又は静止画の情報を閲覧し、当該応募者の採用可否の評価を行い、採用可否を示す採用可否情報を作成してこれを当該応募者のコンピュータ端末２０Ｃ（又は携帯電話２０Ｂ）にメールにて送信する。
【００７３】
これにより、応募者は、求人主体の担当者と直接面接する労力、時間、コストを消耗することなく、当該求人主体に応募した結果を速やかに認識することができる。
【００７４】
また、求人主体側においても、応募者と直接面接することが不要となり、直接面接実行時と比較し、労力、時間、コストの削減を図ることができる。また、前記第１のデータベース４７、第２のデータベース４８等に蓄積した動画又は静止画（応募者からの応募情報等の情報）を閲覧して応募者の顔の表情の変化、姿勢、喋り方等を判断でき、従来のような履歴書のみでは見抜けない優秀な人材の短時間での絞り込み、確保が可能となり、募集から採用決定までリードタイムが削減される。
【００７５】
更に、採用担当者が複数存在する場合でも、担当者端末４６を複数構成とすれば、前記第１のデータベース４７、第２のデータベース４８等に蓄積した応募者からの応募情報、オンライン面接時の応募者の動画、音声の情報等を随時閲覧し評価できるので、担当者間の時間調整等の煩雑さを無くすことができる。
【００７６】
なお、以上述べた実施例２では、応募者がコンピュータ端末２０Ｃ、携帯電話２０Ｂを使用する場合について説明したが、応募者がコンピュータ端末２０Ｃ、第３世代対応の携帯電話２０Ａを使用し、公衆網３１を介して求人主体の管理システム２にアクセスする場合においても、図４に示す一連の処理が上述した場合と同様に実行され、応募者は、求人主体の担当者と直接面接する労力、時間、コストを消耗することなく、当該求人主体に応募した結果を速やかに認識することができる。また、求人主体側においても、応募者と直接面接することが不要となり、直接面接実行時と比較し、労力、時間、コストの削減を図ることができる。また、動画又は静止画（応募者からの応募情報等の情報）の閲覧を行うことで、応募者の顔の表情の変化、姿勢、喋り方等を判断でき、従来のような履歴書のみでは見抜けない優秀な人材の短時間での絞り込み、確保が可能となり、募集から採用決定までリードタイムが削減されるという効果を発揮させることができる。
【００７７】
更に、実施例２によれば、実施例１と同様、オンライン面接の際に、応募者側の携帯電話又はＩＰ対応携帯電話のような携帯電話又は応募者コンピュータ端末と求人主体側のWｅｂカメラ付端末との間で、テレビ電話、オンライン面接が可能となり、この面接の様子（応募者側の動画及び求人主体側の動画）を録画蓄積することが可能となることから、求人主体側の（例えば複数の）面接者が、後日その面接時の動画を確認することができる人材募集・応募支援システムを実現できる。
【００７８】
上述した実施例１又は実施例２のシステムにおいて、応募者側に３Ｇ携帯電話が無い場合又はＩＰ対応携帯電話が無い場合には、これらに替えて動画機能、ＴＶ電話機能を搭載したコンピュータ端末を利用することによって、実施例１、２のシステムと同様なシステムを構築することが可能である。
【００７９】
また、上述した実施例１又は又は実施例２のシステムにおいて、管理システム２側のサーバ群、担当者端末、データベース群の構成は一例であり、これらは求人主体側のコンピュータシステムに応じて種々の変形が可能であることは勿論である。
【００８０】
（実施例３）
次に、図５、図６を参照して本考案の実施例３に係る動画機能及びＴＶ電話機能付携帯電話を利用した人材募集・応募支援システム１Ａ（以下「本システム１Ａ」ともいう）について説明する。なお、図５において、図１に示す要素と同一の機能を有するものには同一の符号を付して示す。
【００８１】
本システム１Ａは、例えば求人主体（企業等）から人材募集の業務を委託され、ＡＳＰ（Ａｐｐｌｉｃａｔｉｏｎ  Ｓｅｒｖｉｃｅ  Ｐｒｏｖｉｄｅｒ）として機能するデータ管理センタの管理システム７０と、実施例１の場合と同様な求人主体の担当者が操作する担当者端末４６と、当該求人に応募する応募者側の動画機能及びＴＶ電話機能付の携帯電話２０Ａ又は携帯電話２０Ｂと、応募者側のコンピュータ端末２０Ｃと、前記携帯電話２０Ａ、コンピュータ端末２０Ｃと管理システム７０とを接続する実施例１の場合と同様な公衆網３１、又は、前記携帯電話２０Ｂ、コンピュータ端末２０Ｃと、管理システム７０、前記担当者端末４６とを相互に接続する例えばインターネット網３２を含む通信網３０とを含んで構成している。
【００８２】
すなわち、本システム１Ａは、求人主体の担当者がインターネット網３２を介して管理システム７０又は前記携帯電話２０Ｂ、コンピュータ端末２０Ｃと交信するように構成している。
【００８３】
前記管理システム７０は、前記インターネット網３２に接続される実施例１の場合と同様なルータ、ファイアーウォール等のような回線処理手段４１と、この回線処理手段４１に接続したＬＡＮ４２とを具備し、ＬＡＮ４２に対して前記公衆網３１と接続される回線制御サーバ４３、ＷＥＢサーバ４４、メールサーバ４５を接続している。これら各要素の機能、動作は実施例１の場合と各々同様である。
【００８４】
次に、本実施例３に係る人材募集・応募支援システム１Ａの動作を、例えば応募者がコンピュータ端末２０Ｃ、ＩＰ対応の携帯電話２０Ｂを使用して前記管理システム７０を介して求人主体に応募し、求人主体の担当者との間でオンライン面接を行う場合を例にとり、図６をも参照して説明する。
【００８５】
前記データ管理センタの管理システム７０におけるＷＥＢサーバ４４は、回線処理手段４１、インターネット網３２を介して当該求人主体の求人情報、氏名、携帯電話番号、メールアドレス入力欄等の文字情報入力欄を含む応募案内情報をＷｅｂ情報として提供する。
【００８６】
求職を望む応募者は、自己のコンピュータ端末２０Ｃ（又は携帯電話２０Ｂ）を使用してインターネット網３２を介して当該求人主体の求人情報を検索し、応募を望む場合には応募案内情報欄に自己の氏名、携帯電話番号或いはメールアドレス等を入力し、管理システム７０に応募情報として返信する。
【００８７】
管理システム７０におけるＷＥＢサーバ４４は、応募者からの応募情報を受信する。また、この応募情報に基づき当該応募者とオンライン面接を行うと判断した場合には、メールサーバ４５は応募者のコンピュータ端末２０Ｃ（又は携帯電話２０Ｂ）のメールアドレスに向けてオンラインＴＶ電話を使用するためのアクセス電話番号付きの面接案内をメールにて応募者に送信する。
【００８８】
応募者は、コンピュータ端末２０Ｃ（又は携帯電話２０Ｂ）にて面接案内のメールを受信した場合、自己の携帯電話２０Ｂを使用して前記アクセス電話番号を入力し、インターネット網３２を介して前記担当者端末４６にアクセスするとともに、自己の携帯電話２０ＢをＴＶ電話モードに設定する。
【００８９】
前記担当者端末４６も、携帯電話２０Ｂからアクセスがあった場合にはＴＶ電話モードになる。これにより、求人主体側の担当者と、応募者との間でＴＶ電話モードでのオンライン面接が実行される。
【００９０】
このとき、応募者は自己の携帯電話２０Ｂのデジタルカメラ及びマイクを使用し、自己の顔、動作等を動画にて撮像し、又は自己の顔を静止画にて撮像し、また、自己宣伝、職歴等をマイクに向けて発音する。これら動画、音声の情報、又は静止画の情報は携帯電話２０Ｂから通信網３０を経て担当者端末４６に送信され、その表示部６１により既述した場合と同様図２に示すような画像表示、スピーカ６３からの発音が行われる。
【００９１】
一方、担当者端末４６を操作する担当者の顔の画像は、Ｗｅｂカメラ６４により動画として撮像され、また担当者の声はマイク６５に入力され、これら動画、音声又は静止画の情報は管理システム２からインターネット網３２を経て携帯電話２０Ｂに送信されて、既述した場合と同様図２に示すように、携帯電話２０Ｂの画面に表示され、また、担当者の声は携帯電話２０Ｂのスピーカから発音される。
【００９２】
このような求人主体側の担当者と、応募者との間におけるＴＶ電話モードでのオンライン面接時の画像や音声、又は静止画の送受信の形態は、担当者、応募者双方の画面操作等に応じて種々の形態で実行されることはいうまでもない。
【００９３】
求人主体側の担当者と、応募者との間におけるオンライン面接が終了すると、双方のＴＶ電話モードが終了となる。
【００９４】
前記応募者からの応募情報、オンライン面接時の応募者の動画、音声の情報又は静止画の情報はインターネット網３２を経て管理システム７０に送信され、前記管理用サーバ５０の管理の基に前記第１のデータベース４７、第２のデータベース４８等に例えば前記携帯電話番号、メールアドレス等に関連付けて一括管理可能に、且つ、読み出し可能に蓄積される。
【００９５】
この後、求人主体側では、担当者が担当者端末４６を使用し、インターネット網３２を介して管理システム７０における前記第１のデータベース４７、第２のデータベース４８等に蓄積した応募者からの応募情報、オンライン面接時の応募者の動画、音声又は静止画の情報を閲覧し、当該応募者の採用可否の評価を行い、採用可否を示す採用可否情報を作成してこれを前記管理システム７０に送信する。この採用可否情報は、前記第１のデータベース４７に蓄積されるとともに、前記メールサーバ４５からインターネット網３２を介して当該応募者のコンピュータ端末２０Ｃ（又は携帯電話２０Ｂ）にメールにて送信する。
【００９６】
これにより、応募者は、実施例１の場合と同様に、求人主体の担当者と直接面接する労力、時間、コストを消耗することなく、当該求人主体に応募した結果を速やかに認識することができる。
【００９７】
また、求人主体側においても、実施例１の場合と同様、応募者と直接面接することが不要となり、直接面接実行時と比較し、労力、時間、コストの削減を図ることができる。また、動画又は静止画（応募者からの応募情報等の情報）によるオンライン面接を行うことで、応募者の顔の表情の変化、姿勢や喋り方等を判断でき、従来のような履歴書のみでは見抜けない優秀な人材の短時間での絞り込み、確保が可能となり、募集から採用決定までリードタイムが削減される。
【００９８】
更に、採用担当者が複数存在する場合でも、複数の採用担当者が各々個々の担当者端末４６から前記管理システム７０にアクセスして前記第１のデータベース４７、第２のデータベース４８等に蓄積した応募者からの応募情報、オンライン面接時の応募者の動画、音声の情報、静止画情報等を随時閲覧し評価できるので、担当者間の時間調整等の煩雑さを無くすことができる。
【００９９】
なお、以上述べた実施例３では、応募者がコンピュータ端末２０Ｃ、携帯電話２０Ｂを使用する場合について説明したが、応募者がコンピュータ端末２０Ｃ、第３世代対応の携帯電話２０Ａを使用する場合においても、公衆網３１を介して管理システム７０にアクセスすることで、図６に示す一連の処理が上述した場合と同様に実行され、上述した場合と同様な作用、効果を発揮させることができる。
【０１００】
更に、実施例３によれば、実施例１、２と同様、オンライン面接の際に、応募者側の携帯電話又はＩＰ対応携帯電話のような携帯電話又は応募者コンピュータ端末と求人主体側のWｅｂカメラ付端末との間で、テレビ電話、オンライン面接が可能となり、この面接の様子（応募者側の動画及び求人主体側の動画）を録画蓄積することが可能となることから、求人主体側の（例えば複数の）面接者が、後日その面接時の動画を確認することができる人材募集・応募支援システムを実現できる。
【０１０１】
（実施例４）
次に、本考案の実施例４に係る人材募集・応募支援システムについて、図５及び図７を参照して説明する。
【０１０２】
本実施例４に係る人材募集・応募支援システムは、図５に示すようなシステム構成である点は基本的に実施例３に係る人材募集・応募支援システム１Ａと同様であるが、担当者と応募者との間でオンライン面接を行うのではなく、図７に示すように、ＴＶ電話モードにおいて実施例２と同様ビデオメッセージに従った応募者の動画による顔、或いは自己宣伝情報又は静止画による顔、或いは自己宣伝情報を管理システム７０で受信、蓄積するようにしたことが特徴である。
【０１０３】
本実施例４に係る人材募集・応募支援システム１の動作を、例えば応募者がコンピュータ端末２０Ｃ、ＩＰ対応の携帯電話２０Ｂを使用して求人主体に応募する場合について図７も参照して説明する。
【０１０４】
求人主体側の管理システム２におけるＷＥＢサーバ４４は、回線処理手段４１、インターネット網３２を介して当該求人主体の求人情報、氏名、携帯電話番号、メールアドレス入力欄等の文字情報入力欄を含む応募案内情報をＷｅｂ情報として提供する。
【０１０５】
求職を望む応募者は、自己のコンピュータ端末２０Ｃ（又は携帯電話２０Ｂ）を使用してインターネット網３２を介して当該求人主体の求人情報を検索し、応募を望む場合には応募案内情報欄に自己の氏名、携帯電話番号或いはメールアドレス等を入力し、管理システム７０に応募情報として返信する。
【０１０６】
求人主体側の管理システム７０におけるＷＥＢサーバ４４は、応募者からの応募情報を受信する。次に、当該応募者とＴＶ電話で交信しようとする場合には、管理システム７０のメールサーバ４５から応募者のコンピュータ端末２０Ｃ（又は携帯電話２０Ｂ）のメールアドレスに向けてオンラインＴＶ電話を使用するためのアクセス電話番号付きのＴＶ電話案内をメールにて送信する。
【０１０７】
応募者は、ＴＶ電話案内のメールを受信した場合、自己の携帯電話２０Ｂを使用して前記アクセス電話番号を入力し、管理システム７０にアクセスするとともに、自己の携帯電話２０ＢをＴＶ電話モードに設定する。
【０１０８】
求人主体側の管理システム２におけるメールサーバ４５は、応募者からのアクセスがあった場合、メールサーバ４５から携帯電話２０Ｂに向けてＴＶ電話による応募者の自己宣伝情報等の作成のためのビデオメッセージを送信する。
【０１０９】
応募者は、ビデオメッセージに従って携帯電話２０Ｂを操作し、動画による顔、或いは自己宣伝情報、音声による自己宣伝情報又は静止画による顔、或いは自己宣伝情報を管理システム２に送信し、この後、ＴＶ電話モードが終了する。
【０１１０】
前記応募者からの応募情報、オンライン面接時の応募者の動画、音声の情報又は静止画の情報は前記管理用サーバ５０の管理の基に前記第１のデータベース４７、第２のデータベース４８等に、例えば前記携帯電話番号、メールアドレス等に関連付けて一括管理可能に、且つ、読み出し可能に蓄積される。
【０１１１】
この後、求人主体側では、担当者が担当者端末４６を使用し、インターネット網３２を介して管理システム７０にアクセスし、前記第１のデータベース４７、第２のデータベース４８等に蓄積した応募者からの応募情報、オンライン面接時の応募者の動画、音声又は静止画の情報を閲覧する。更に、当該応募者の採用可否の評価を行い、採用可否を示す採用可否情報を作成してこれを前記管理システム７０に送信する。この採用可否情報は、前記第１のデータベース４７に蓄積され、更に、前記メールサーバ４５からインターネット網３２を介して当該応募者のコンピュータ端末２０Ｃ（又は携帯電話２０Ｂ）にメールにて送信する。
【０１１２】
これにより、応募者は、求人主体の担当者と直接面接する労力、時間、コストを消耗することなく、当該求人主体に応募した結果を速やかに認識することができる。
【０１１３】
また、求人主体側においても、応募者と直接面接することが不要となり、直接面接実行時と比較し、労力、時間、コストの削減を図ることができる。また、前記第１のデータベース４７、第２のデータベース４８等に蓄積した動画又は静止画（応募者からの応募情報等の情報）を閲覧して応募者の顔の表情の変化、姿勢、喋り方等を判断でき、従来のような履歴書のみでは見抜けない優秀な人材の短時間での絞り込み、確保が可能となり、募集から採用決定までリードタイムが削減される。
【０１１４】
更に、採用担当者が複数存在する場合でも、複数の採用担当者が個々の担当者端末４６を使用して前記第１のデータベース４７、第２のデータベース４８等に蓄積した応募者からの応募情報、オンライン面接時の応募者の動画、音声の情報等を随時閲覧し評価できるので、担当者間の時間調整等の煩雑さを無くすことができる。
【０１１５】
なお、以上述べた実施例４では、応募者がコンピュータ端末２０Ｃ、携帯電話２０Ｂを使用する場合について説明したが、応募者がコンピュータ端末２０Ｃ、第３世代対応の携帯電話２０Ａを使用し、公衆網３１を介して求人主体の管理システム２にアクセスする場合においても、図７に示す一連の処理が上述した場合と同様に実行され、応募者は、求人主体の担当者と直接面接する労力、時間、コストを消耗することなく、当該求人主体に応募した結果を速やかに認識することができる。また、求人主体側においても、応募者と直接面接することが不要となり、直接面接実行時と比較し、労力、時間、コストの削減を図ることができる。
【０１１６】
また、動画又は静止画（応募者からの応募情報等の情報）の閲覧を行うことにより、応募者の顔の表情の変化、姿勢、喋り方等を判断でき、従来のような履歴書のみでは見抜けない優秀な人材の短時間での絞り込み、確保が可能となり、募集から採用決定までリードタイムが削減されるという効果を発揮させることができる。
【０１１７】
更に、実施例４によれば、実施例１〜３と同様、オンライン面接の際に、応募者側の携帯電話又はＩＰ対応携帯電話のような携帯電話又は応募者コンピュータ端末と求人主体側のＷｅｂカメラ付端末との間で、テレビ電話、オンライン面接が可能となり、この面接の様子（応募者側の動画及び求人主体側の動画）を録画蓄積することが可能となることから、求人主体側の（例えば複数の）面接者が、後日その面接時の動画を確認することができる人材募集・応募支援システムを実現できる。
【０１１８】
また、上述した実施例３又は実施例４のシステムにおいて、応募者側に３Ｇ携帯電話が無い場合又はＩＰ対応携帯電話が無い場合には、これらに替えて動画機能、ＴＶ電話機能を搭載したコンピュータ端末を利用することによって、実施例３、４のシステムと同様なシステムを構築することが可能である。
【０１１９】
また、上述した実施例３又は又は実施例４のシステムにおいて、管理システム７０側のサーバ群、データベース群の構成は一例であり、これらは管理システム７０のコンピュータシステムに応じて種々の変形が可能であることは勿論である。
【０１２０】
（実施例５）
次に、本考案の実施例５に係る人材募集・応募支援システム１Ｂ（以下「本システム１Ｂ」ともいう）について、図８を参照して説明する。なお、図８において、図１に示す要素と同一の機能を有するものには同一の符号を付して示す。
【０１２１】
本システム１Ｂは、実施例１の場合と同様、人材を募集する例えば企業等のような求人主体側の管理システム２と、当該求人に応募する携帯電話２０Ａ又は携帯電話２０Ｂと、応募者側のコンピュータ端末２０Ｃと、前記携帯電話２０Ａ、コンピュータ端末２０Ｃと管理システム２とを接続する例えばＩＮＳ（登録商標）回線のような公衆網３１、又は、前記携帯電話２０Ｂ、コンピュータ端末２０Ｃと管理システム２とを接続する例えばインターネット網３２を含む通信網３０とを含んで構成している。
【０１２２】
本システム１Ｂにおける管理システム２は、実施例１の場合と同様な構成に加えて、前記ＬＡＮ４２に対して変換サーバ４０を追加して構成したことが特徴であり、変換サーバ４０以外の構成は実施例１の場合と同一である。
【０１２３】
前記変換サーバ４０は、応募者側の動画機能及びＴＶ電話機能付第３世代携帯電話である携帯電話２０Ａから管理システム２に送信されてくる３ＧＰＰ又は３ＧＰＰ２ファイルフォーマットの動画情報を、ＭＰＥＧ４又はＨ．２６３形式のファイルフォーマットへ変換するととともに、管理システム２から応募者側の携帯電話２０Ａへ送信する動画情報をＭＰＥＧ４又はＨ．２６３形式のファイルフォーマットから３ＧＰＰ又は３ＧＰＰ２ファイルフォーマットへ変換するように構成している。
【０１２４】
また、前記変換サーバ４０は、前記携帯電話２０Ａから管理システム２に送信される音声情報をＡＭＲファイルフォーマットからＧ７１１ファイルフォーマットへ変換するとともに、管理システム２から応募者側の携帯電話２０Ａへ送信する音声情報をＧ７１１ファイルフォーマットからＡＭＲファイルフォーマットへ変換するように構成している。
【０１２５】
ここに、３ＧＰＰは、３ｒｄ  Ｇｅｎｅｒａｔｉｏｎ  Ｐａｒｔｎｅｒｓｈｉｐ  Ｐｒｏｊｅｃｔファイルフォーマット、３ＧＰＰ２は、３ｒｄ  Ｇｅｎｅｒａｔｉｏｎ  Ｐａｒｔｎｅｒｓｈｉｐ  Ｐｒｏｊｅｃｔ２ファイルフォーマットである。また、ＭＰＥＧ４は、カラー画像を圧縮する変換方式の標準方式の一つであるＭｏｖｉｎｇ  Ｐｉｃｔｅｒｅ  Ｅｘｐｅｒｔｓ  Ｇｒｏｕｐ４であり、Ｈ．２６３は、ビデオ信号符号化の規格の一つである。
【０１２６】
更に、ＡＭＲは、音声情報変換方式の一つであるＡｕｄｉｏ／Ｍｏｄｅｍ  Ｒｉｓｅｒであり、Ｇ７１１も音声情報変換方式の一つである。尚、静止画情報については変換を要しない。
【０１２７】
次に、本実施例５に係る人材募集・応募支援システム１Ｂの動作を、応募者がコンピュータ端末２０Ｃ、３Ｇ対応の前記携帯電話２０Ａを使用し、公衆網３１、回線制御サーバ４３を介して求人主体側に応募し、求人主体側の担当者との間でオンライン面接を行う場合を例にとって概説する。
【０１２８】
本実施例５におけるオンライン面接処理も既述した図３に示す場合と同様な一連の処理が実行される。この場合に、ＴＶ電話モードで接続された担当者端末４６と、携帯電話２０Ａとの間において交信される応募者、採用担当者の顔、或いは自己宣伝情報等に含まれる動画、音声の各情報は、上述した変換サーバ４０により各々担当者端末４６用又は携帯電話２０Ａ用に変換される。
【０１２９】
具体的には、前記携帯電話２０Ａの動画、静止画の撮像機能、音声機能による応募者の顔、動作等の３ＧＰＰ又は３ＧＰＰ２ファイルフォーマットの動画情報、顔等の静止画の情報、応募者の自己宣伝情報等のＡＭＲファイルフォーマットからなる音声の情報は、公衆網３１、回線制御サーバ４３を介して前記変換サーバ４０に送信される。変換サーバ４０はリアルタイムで３ＧＰＰ又は３ＧＰＰ２ファイルフォーマットの動画情報をＭＰＥＧ４又はＨ．２６３形式のファイルフォーマットへ変換し、また、ＡＭＲファイルフォーマットからなる音声の情報をＧ７１１ファイルフォーマットへ変換して、これらを担当者端末４６に送信し、表示部６１への表示及びスピーカ６３による発音に供する。
【０１３０】
また、変換サーバ４０は、担当者端末４６を操作する担当者の顔等をＷｅｂカメラ６４で撮像したＭＰＥＧ４又はＨ．２６３形式のファイルフォーマットの動画情報、マイク６５から入力される担当者の会話等のＧ７１１ファイルフォーマットからなる音声情報を受信して、これらを３ＧＰＰ又は３ＧＰＰ２ファイルフォーマット、ＡＭＲファイルフォーマットへ各々変換して回線制御サーバ４３、公衆網３１を介して前記携帯電話２０Ａへ送信し、携帯電話２０Ａへの画面表示、携帯電話２０Ａからの発音に供する。
【０１３１】
このような動作により、実施例１の場合と同様、応募者は、携帯電話２０Ａを使用して求人主体の担当者と動画又は静止画、音声を介してのオンライン面接を極めて簡略に行なうことができ、求人主体側に赴き直接面接する労力、時間、コストを消耗することなく、当該求人主体に応募した結果を速やかに認識することができる。また、求人主体側においても、応募者と直接面接することが不要となり、直接面接実行時と比較し、労力、時間、コストの削減を図ることができる。また、動画又は静止画（応募者からの応募情報等の情報）、音声によるオンライン面接を行うことで、応募者の顔の表情の変化、姿勢、喋り方等を判断でき、従来のような履歴書のみでは見抜けない優秀な人材の短時間での絞り込み、確保が可能となり、募集から採用決定までリードタイムが削減されるという効果を発揮させることができる。
【０１３２】
また、本システム１Ｂは、図４に示す実施例２の場合と同様なＴＶ電話モードにおいてビデオメッセージに従った応募者の動画による顔、或いは自己宣伝情報又は静止画による顔、或いは自己宣伝情報、応募者の音声による自己宣伝情報等を管理システム２で受信、蓄積することもできる。
【０１３３】
この場合には、前記担当者による担当者端末４６からのＴＶ電話モード設定指示又は予め設定される面接時間登録情報に基づくＷｅｂサーバ４４からの自動発信によるＴＶ電話モード時又は応募者による携帯電話２０Ａの発信によるＴＶ電話モード時での応募者の自己宣伝情報等の作成のためのビデオメッセージにおける動画、音声の各情報を、上述した場合と同様に、動画についてはＭＰＥＧ４又はＨ．２６３形式のファイルフォーマットから３ＧＰＰ又は３ＧＰＰ２ファイルフォーマットへ、音声についてはＧ７１１ファイルフォーマットからＡＭＲファイルフォーマットへ変換して、回線制御サーバ４３、公衆網３１を介して前記携帯電話２０Ａへ送信し、携帯電話２０Ａへの画面表示、携帯電話２０Ａからの発音に供する。
【０１３４】
また、携帯電話２０ＡからのＴＶ電話モードでの前記ビデオメッセージに従った動画による顔、或いは自己宣伝情報、静止画による顔、或いは自己宣伝情報、音声による自己宣伝情報等を、公衆網３１、回線制御サーバ４３を介して受信し、蓄積するとともに、動画情報、音声情報を各々変換サーバ４０により上述した場合と同様に変換して管理用サーバ５０の管理の基に前記第１のデータベース４７、第２のデータベース４８等に、例えば前記携帯電話番号、メールアドレス等に関連付けて一括管理可能に、且つ、読み出し可能に蓄積する。
【０１３５】
これにより、担当者端末４６にて、前記変換サーバ４０によりファイルフォーマット変換された動画による顔、或いは自己宣伝情報、静止画による顔、或いは自己宣伝情報、変換サーバ４０によりファイルフォーマット変換された音声による自己宣伝情報等を随時閲覧、聴取し、当該応募者の採用可否の評価、採用可否情報の作成、応募者への採用可否情報の送信等を行うことができる。
【０１３６】
以上の動作により、応募者は、携帯電話２０Ａを使用して求人主体の管理システム２に対して動画又は静止画、音声を介して応募のための自己宣伝等を簡略に実行でき、求人主体の担当者と直接面接する労力、時間、コストを消耗することなく、当該求人主体に応募した結果を速やかに認識することができる。
【０１３７】
また、求人主体側においても、応募者と直接面接することが不要となり、直接面接実行時と比較し、労力、時間、コストの削減を図ることができる。また、前記第１のデータベース４７、第２のデータベース４８等に蓄積した動画又は静止画（応募者からの応募情報等の情報）、さらには応募者の音声等の情報を随時閲覧、聴取して、当該応募者の顔の表情の変化、姿勢、喋り方等を判断でき、従来のような履歴書のみでは見抜けない優秀な人材の短時間での絞り込み、確保が可能となり、募集から採用決定までリードタイムが削減される。
【０１３８】
更に、採用担当者が複数存在する場合でも、担当者端末４６を複数構成とすれば、前記第１のデータベース４７、第２のデータベース４８等に蓄積した応募者からの応募情報、オンライン面接時の応募者の動画、音声の情報等を随時閲覧し評価できるので、担当者間の時間調整等の煩雑さを無くすことができる。
【０１３９】
（実施例６）
次に、本考案の実施例６に係る人材募集・応募支援システム１Ｃ（以下「本システム１Ｃ」ともいう）について、図９を参照して説明する。なお、図９において、図５に示す要素と同一の機能を有するものには同一の符号を付して示す。
【０１４０】
本システム１Ｃは、実施例３の場合と同様、例えば求人主体（企業等）から人材募集の業務を委託され、ＡＳＰ（Ａｐｐｌｉｃａｔｉｏｎ  Ｓｅｒｖｉｃｅ  Ｐｒｏｖｉｄｅｒ）として機能するデータ管理センタの管理システム７０と、既述した場合と同様な求人主体の担当者が操作する担当者端末４６と、当該求人に応募する応募者側の動画機能及びＴＶ電話機能付の携帯電話２０Ａ又は携帯電話２０Ｂと、応募者側のコンピュータ端末２０Ｃと、前記携帯電話２０Ａ、コンピュータ端末２０Ｃと管理システム７０とを接続する実施例１の場合と同様な公衆網３１、又は、前記携帯電話２０Ｂ、コンピュータ端末２０Ｃと、管理システム７０、前記担当者端末４６とを相互に接続する例えばインターネット網３２を含む通信網３０とを含んで構成している。
【０１４１】
本システム１Ｃにおける管理システム７０は、実施例３の場合と同様な構成に加えて、前記ＬＡＮ４２に対して実施例４にて既述したような変換サーバ４０を追加して構成したことが特徴であり、変換サーバ４０以外の構成は実施例３の場合と同一である。
【０１４２】
次に、本実施例６に係る人材募集・応募支援システム１Ｃの動作を、応募者がコンピュータ端末２０Ｃ、３Ｇ対応の前記携帯電話２０Ａを使用し、公衆網３１、回線制御サーバ４３、管理システム７０を介して求人主体側に応募し、求人主体側の担当者との間でオンライン面接を行う場合を例にとって概説する。
【０１４３】
本実施例６におけるオンライン面接処理も既述した図６に示す場合と同様な一連の処理が実行される。この場合に、管理システム７０を介在しつつＴＶ電話モードで接続された担当者端末４６と、携帯電話２０Ａとの間において交信される応募者、採用担当者の顔、或いは自己宣伝情報等に含まれる動画、音声の各情報は、実施例５の場合と同様、上述した変換サーバ４０により各々担当者端末４６用又は携帯電話２０Ａ用に変換される。
【０１４４】
具体的には、前記携帯電話２０Ａの動画、静止画の撮像機能、音声機能による応募者の顔、動作等の３ＧＰＰ又は３ＧＰＰ２ファイルフォーマットの動画情報、顔等の静止画の情報、応募者の自己宣伝情報等のＡＭＲファイルフォーマットからなる音声の情報は、公衆網３１、回線制御サーバ４３を介して前記変換サーバ４０に送信される。変換サーバ４０はリアルタイムで３ＧＰＰ又は３ＧＰＰ２ファイルフォーマットの動画情報をＭＰＥＧ４又はＨ．２６３形式のファイルフォーマットへ変換し、また、ＡＭＲファイルフォーマットからなる音声の情報をＧ７１１ファイルフォーマットへ変換する。
【０１４５】
ファイルフォーマットが変換された動画情報、顔等の静止画の情報、ファイルフォーマットが変換された音声情報は回線処理手段４１、インターネット網３２を介して担当者端末４６に送信され、これらは表示部６１への表示及びスピーカ６３による発音に供される。
【０１４６】
また、変換サーバ４０は、担当者端末４６において、この担当者端末４６を操作する担当者の顔等をＷｅｂカメラ６４で撮像したＭＰＥＧ４又はＨ．２６３形式のファイルフォーマットの動画情報、又は担当者の顔等の静止画情報、マイク６５から入力される担当者の会話等のＧ７１１ファイルフォーマットからなる音声情報をインターネット網３２、回線処理手段４１を介して受信し、これらを３ＧＰＰ又は３ＧＰＰ２ファイルフォーマット、ＡＭＲファイルフォーマットへ各々変換し、また、静止画情報は変換することなく、回線制御サーバ４３、公衆網３１を介して前記携帯電話２０Ａへ送信し、携帯電話２０Ａへの画面表示、携帯電話２０Ａからの発音に供する。
【０１４７】
このような動作により、実施例５の場合と同様、応募者は、携帯電話２０Ａを使用して求人主体の担当者と動画又は静止画、音声を介してのオンライン面接を極めて簡略に行なうことができ、求人主体側に赴き直接面接する労力、時間、コストを消耗することなく、当該求人主体に応募した結果を速やかに認識することができる。また、求人主体側においても、応募者と直接面接することが不要となり、直接面接実行時と比較し、労力、時間、コストの削減を図ることができる。また、動画又は静止画（応募者からの応募情報等の情報）、音声によるオンライン面接を行うことで、応募者の顔の表情の変化、姿勢、喋り方等を判断でき、従来のような履歴書のみでは見抜けない優秀な人材の短時間での絞り込み、確保が可能となり、募集から採用決定までリードタイムが削減されるという効果を発揮させることができる。
【０１４８】
また、本システム１Ｃは、図７に示す実施例４２の場合と同様なＴＶ電話モードにおいてビデオメッセージに従った応募者の動画による顔、或いは自己宣伝情報又は静止画による顔、或いは自己宣伝情報、応募者の音声による自己宣伝情報等を管理システム７０で受信、蓄積し、担当者端末４６を操作する担当者への閲覧、聴取に供することもできる。
【０１４９】
この場合には、前記担当者による担当者端末４６からのＴＶ電話モード設定指示又は予め設定される面接時間登録情報に基づくＷｅｂサーバ４４からの自動発信によるＴＶ電話モード時又は応募者による携帯電話２０Ａの発信によるＴＶ電話モード時での応募者の自己宣伝情報等の作成のためのビデオメッセージにおける動画、音声の各情報を、上述した場合と同様に、動画についてはＭＰＥＧ４又はＨ．２６３形式のファイルフォーマットから３ＧＰＰ又は３ＧＰＰ２ファイルフォーマットへ変換し、音声についてはＧ７１１ファイルフォーマットからＡＭＲファイルフォーマットへ変換して、回線制御サーバ４３、公衆網３１を介して前記携帯電話２０Ａへ送信し、携帯電話２０Ａへの画面表示、携帯電話２０Ａからの発音に供する。
【０１５０】
また、携帯電話２０ＡからのＴＶ電話モードでの前記ビデオメッセージに従った動画による顔、或いは自己宣伝情報、静止画による顔、或いは自己宣伝情報、音声による自己宣伝情報等を、公衆網３１、回線制御サーバ４３を介して受信し、蓄積するとともに、動画情報、音声情報を各々変換サーバ４０により上述した場合と同様に変換して管理用サーバ５０の管理の基に前記第１のデータベース４７、第２のデータベース４８等に、例えば前記携帯電話番号、メールアドレス等に関連付けて一括管理可能に、且つ、読み出し可能に蓄積する。
【０１５１】
これにより、担当者端末４６を操作する担当者は、インターネット網３２、回線処理手段４１を介して管理システム７０と交信し、前記変換サーバ４０によりファイルフォーマット変換された動画による顔、或いは自己宣伝情報、静止画による顔、或いは自己宣伝情報、変換サーバ４０によりファイルフォーマット変換された音声による自己宣伝情報等を随時閲覧、聴取し、当該応募者の採用可否の評価、採用可否情報の作成、応募者への採用可否情報の送信等を行うことができる。
【０１５２】
以上の動作により、応募者は、自己の携帯電話２０Ａを使用し、管理システム７０を介して求人主体に対して動画又は静止画、音声を使用して応募のための自己宣伝等を簡略に実行でき、求人主体の担当者と直接面接する労力、時間、コストを消耗することなく、当該求人主体に応募した結果を速やかに認識することができる。
【０１５３】
また、求人主体側においても、応募者と直接面接することが不要となり、直接面接実行時と比較し、労力、時間、コストの削減を図ることができる。また、前記第１のデータベース４７、第２のデータベース４８等に蓄積した動画又は静止画（応募者からの応募情報等の情報）、さらには応募者の音声等の情報をインターネット網３２を介して随時閲覧、聴取して、当該応募者の顔の表情の変化、姿勢、喋り方等を判断でき、従来のような履歴書のみでは見抜けない優秀な人材の短時間での絞り込み、確保が可能となり、募集から採用決定までリードタイムが削減される。
【０１５４】
更に、採用担当者が複数存在する場合でも、担当者端末４６を複数構成とすれば、前記第１のデータベース４７、第２のデータベース４８等に蓄積した応募者からの応募情報、オンライン面接時の応募者の動画、音声の情報等をインターネット網３２を介して随時閲覧し評価できるので、担当者間の時間調整等の煩雑さを無くすことができる。
【０１５５】
また、上述した実施例５又は実施例６のシステムにおいて、応募者側に３Ｇ携帯電話が無い場合又はＩＰ対応携帯電話が無い場合には、これらに替えて動画機能、ＴＶ電話機能を搭載したコンピュータ端末を利用することによって、実施例５、６のシステムと同様なシステムを構築することが可能である。
【０１５６】
また、上述した実施例５又は又は実施例６のシステムにおいて、前記管理システム７０側のサーバ群、データベース群の構成は一例であり、これらは管理システム７０のコンピュータシステムに応じて種々の変形が可能であることは勿論である。
【産業上の利用可能性】
【０１５７】
本考案は、例えば、人材派遣会社における派遣先への派遣社員紹介或いは派遣先の業務紹介、結婚斡旋業における男女間の情報交換、各種商品販売業におけるユーザへの商品紹介、通信教育における授業提供者、受講者間の教育内容交信、不動産業における賃貸物件、分譲物件等の不動産紹介、オークション、リサイクル実施時の出品物紹介、遠隔地医療における患者、医師間の情報交信や医療支援、飲食店等における店内紹介、メニュー紹介及び店長挨拶等の送信、外国語レッスンにおける教師の動作や音声の伝達、薬局、薬剤師等による薬剤紹介、観光地の海、山の景色、天気情報等の観光案内等の分野に広範に適用可能である。
【図面の簡単な説明】
【０１５８】
【図１】本考案の実施例１に係る動画機能及びＴＶ電話機能付携帯電話を利用した人材募集・応募支援システムにおけるシステム構成を示す概略ブロック図である。
【図２】本考案の実施例１に係る動画機能及びＴＶ電話機能付携帯電話を利用した人材募集・応募支援システムにおける担当者端末、応募者の携帯電話間におけるオンライン面接の状態を示す概略説明図である。
【図３】本考案の実施例１に係る動画機能及びＴＶ電話機能付携帯電話を利用した人材募集・応募支援システムにおける求人主体の管理システム、応募者の携帯電話間の情報交信の推移を示す説明図である。
【図４】本考案の実施例２に係る動画機能及びＴＶ電話機能付携帯電話を利用した人材募集・応募支援システムにおける求人主体の管理システム、応募者の携帯電話間の情報交信の推移を示す説明図である。
【図５】本考案の実施例３に係る動画機能及びＴＶ電話機能付携帯電話を利用した人材募集・応募支援システムにおけるシステム構成を示す概略ブロック図である。
【図６】本考案の実施例３に係る動画機能及びＴＶ電話機能付携帯電話を利用した人材募集・応募支援システムにおけるデータ管理センタ、求人主体の担当者端末、応募者の携帯電話間の情報交信の推移を示す説明図である。
【図７】本考案の実施例４に係る動画機能及びＴＶ電話機能付携帯電話を利用した人材募集・応募支援システムにおけるデータ管理センタ、求人主体の担当者端末、応募者の携帯電話間の情報交信の推移を示す説明図である。
【図８】本考案の実施例５に係る動画機能及びＴＶ電話機能付携帯電話を利用した人材募集・応募支援システムにおけるシステム構成を示す概略ブロック図である。
【図９】本考案の実施例６に係る動画機能及びＴＶ電話機能付携帯電話を利用した人材募集・応募支援システムにおけるシステム構成を示す概略ブロック図である。
【符号の説明】
【０１５９】
１    人材募集・応募支援システム
１Ａ  人材募集・応募支援システム
１Ｂ  人材募集・応募支援システム
１Ｃ  人材募集・応募支援システム
２    管理システム
２０Ａ  携帯電話
２０Ｂ  携帯電話
２０Ｃ  コンピュータ端末
３０    通信網
３１    公衆網
３２    インターネット網
４０    変換サーバ
４１    回線処理手段
４２    ＬＡＮ
４３    回線制御サーバ
４４    ＷＥＢサーバ
４５    メールサーバ
４６    担当者端末
４７    第１のデータベース
４８    第２データベース
４９    第３のデータベース
５０    管理用サーバ
５１    情報蓄積処理手段
６０    コンピュータ端末
６１    表示部
６２    入力部
６３    スピーカ
６４    Ｗｅｂカメラ
６５    マイク
７０    管理システム
【図１】
0003123083.tif 000003
【図２】
0003123083.tif 000004
【図３】
0003123083.tif 000005
【図４】
0003123083.tif 000006
【図５】
0003123083.tif 000007
【図６】
0003123083.tif 000008
【図７】
0003123083.tif 000009
【図８】
0003123083.tif 000010
【図９】
0003123083.tif 000011